(57)【要約】【課題】光源からの出射光を用いて上記光源の光出射方向と反対側の領域に配光する。【解決手段】レンズ（４３３）は、光源（３２）から出射されてレンズ（４３３）に入射した光の一部を光源（３２）よりも光源（３２）の光出射方向側とは反対側の領域に配光する第１導光部（４３３ｌ）を備えている。【選択図】図３４
2014103047.tif 000002
【特許請求の範囲】
【請求項１】
本体部と、上記本体部の外縁方向に光を出射する光源と、上記光源に対して当該光源の光出射方向側に対向配置され、上記光源から出射された光の配光を制御して出射するレンズとを備える照明装置であって、
上記レンズは、
上記光源から出射されて当該レンズに入射した光の一部を当該光源の光出射方向側とは反対側の領域に配光する導光部を備えていることを特徴とする照明装置。
【請求項２】
上記導光部は、
上記光源から入射した光を全反射する反射面と、
上記反射面によって全反射された光を上記光源に対して当該光源の光出射方向と反対側に向けて出射する出射面とを有していることを特徴とする請求項１に記載の照明装置。
【請求項３】
上記本体部の表面に対して立設するように設けられた、上記光源を支持する光源支持部を備え、
上記出射面は、上記光源支持部よりも上記本体部から遠い位置に備えられていることを特徴とする請求項２に記載の照明装置。
【請求項４】
上記導光部は、上記光源支持部よりも上記本体部から遠い位置に、上記光源支持部よりも上記光源の光出射方向と反対側に突出した突出部を備え、
上記出射面は、上記突出部に設けられていることを特徴とする請求項３に記載の照明装置。
【請求項５】
上記導光部は、上記反射面として、上記レンズにおける上記光源との対向面とは反対側の面に配置された第１反射面と、上記突出部に配置された第２反射面とを備えており、
上記第１反射面は上記光源から入射した光を上記第２反射面に向けて全反射し、上記第２反射面は上記第１反射面で反射されて当該第２反射面に到達した光を上記出射面に向けて全反射することを特徴とする請求項４に記載の照明装置。
【発明の詳細な説明】
【技術分野】
【０００１】
本発明は、光源と光源から出射される光を屈折させるレンズとを備えた照明装置に関するものである。
【背景技術】
【０００２】
従来、発光ダイオード（ＬＥＤ；light-emitting diode）等の半導体発光素子からなる光源と、光源から出射される光を屈折させるためのレンズとを備えた照明装置が用いられている。
【０００３】
例えば、特許文献１には、光源となる半導体発光素子と、半導体発光素子の光出射部と対向した入射面を有する導光体と、光源から導光体を介して入射した光を平行光に変換して出射するレンズとを備えた照明装置が開示されている。
【０００４】
なお、特許文献１に開示されている照明装置は、シャーシの外縁部に立設された支持部を備えており、光源としてのＬＥＤが上記支持部によってシャーシの中央側に向くように支持されている。また、ＬＥＤにおける光出射側には導光体およびレンズ体が対向配置されており、ＬＥＤから出射された光は導光体およびレンズ体を介して照明装置の中央側に向けて出射される。
【０００５】
また、特許文献２には、ＬＥＤに隣接して配置される光学レンズであって、上記ＬＥＤから入射した光を屈折する屈折制御部とＬＥＤから入射した光を反射する反射制御部とを備えたレンズが開示されている。
【先行技術文献】
【特許文献】
【０００６】
【特許文献１】特開２００９−００９８９０号公報（平成２１年１月１５日公開）
【特許文献２】特開２０１０−２７２４６３号公報（平成２２年１２月２日公開）
【発明の概要】
【発明が解決しようとする課題】
【０００７】
しかしながら、上記特許文献１の技術では、ＬＥＤを支持する支持板の背面側、すなわち支持板に対してＬＥＤの光出射方向と反対側の領域（支持板におけるＬＥＤが配置されていない側の面に対向する領域）が暗くなりやすいという問題がある。
【０００８】
また、特許文献２においても、ＬＥＤから出射された光を当該ＬＥＤに対して当該ＬＥＤの光出射方向と反対側の領域に配光することについては考慮されていない。
【０００９】
本発明は、上記の問題点に鑑みてなされたものであり、その目的は、光源からの出射光を用いて上記光源の光出射方向と反対側の領域に配光することのできる照明装置を提供することにある。
【課題を解決するための手段】
【００１０】
本発明の一態様にかかる照明装置は、本体部と、上記本体部の外縁方向に光を出射する光源と、上記光源に対して当該光源の光出射方向側に対向配置され、上記光源から出射された光の配光を制御して出射するレンズとを備える照明装置であって、上記レンズは、上記光源から出射されて当該レンズに入射した光の一部を当該光源の光出射方向側とは反対側の領域に配光する導光部を備えていることを特徴としている。
【発明の効果】
【００１１】
上記の構成によれば、光源から出射された光を上記光源の光出射方向と反対側の領域に導光することができる。
【図面の簡単な説明】
【００１２】
【図１】本発明の一実施形態にかかる照明装置の外観を示す正面図および側面図である。
【図２】（ａ）は図１に示したＡ−Ａ断面の断面図であり、（ｂ）は（ａ）に示したＢ部の拡大図である。
【図３】図１に示した照明装置の分解斜視図である。
【図４】（ａ）は図１に示した照明装置に備えられるアダプタカバーの斜視図であり、（ｂ）は（ａ）に示したアダプタカバーを照明装置に取り付けた状態を模式的に示した断面図である。（ｃ）は（ａ）に示したアダプタカバーの変形例を示す斜視図である。
【図５】図１に示した照明装置に備えられる光源ユニットから出射される光の照明装置内における進行方向を模式的に示した説明図である。
【図６】図１に示した照明装置に備えられるリングカバーおよびセンターカバーの正面図および側面図である。
【図７】（ａ）はセンサユニットを電源カバーの電源収容部に収容した状態を示す平面図であり、（ｂ）は（ａ）に示したＣ−Ｃ断面の断面図である。
【図８】図１に示した照明装置に備えられる電源ユニットおよびセンサユニットの分解斜視図である。
【図９】（ａ）はセンサユニットを電源カバーの電源収容部に収容した状態を示す説明図であり、センサユニットの床側の面を示している。（ｂ）は（ａ）に示したＤ部の拡大図である。（ｃ）はセンサユニットの電源ユニットに対する取付方法を示す説明図である。
【図１０】（ａ）はセンサユニットを電源カバーの電源収容部に収容した状態を示す説明図であり、センサユニットの天井側の面を示している。（ｂ）は（ａ）に示したＥ部の拡大図である。
【図１１】（ａ）は本体シャーシおよび光源ユニットの構成を示す説明図である。（ｂ）は（ａ）に示したＦ部の拡大図である。（ｃ）は光源ユニットの取付方法を示す説明図である。
【図１２】図１に示した照明装置に備えられるレンズの斜視図である。
【図１３】図１に示した照明装置に備えられるレンズの構成を示す説明図である。
【図１４】（ａ）は図１に示した照明装置に備えられる光源基板の構成を示す平面図である。（ｂ）および（ｃ）は（ａ）に示した光源基板の変形例を示す平面図である。
【図１５】（ａ）は図１４（ａ）に示した照明装置に備えられる光源基板の配線図である。（ｂ）および（ｃ）は、それぞれ図１４（ｂ）および図１４（ｃ）に示した光源基板の配線図である。
【図１６】図１に示した照明装置に備えられる各光源基板の接続状態を示す説明図である。
【図１７】（ａ）は主照明用の光源の構成を示す説明図であり、（ｂ）は常夜灯用の光源の構成を示す説明図である。
【図１８】（ａ）は図１に示した照明装置に備えられる防塵カバーの天井側の面の構成を示す分解斜視図であり、（ｂ）は上記防塵カバーの床側の面の構成を示す分解斜視図である。
【図１９】防塵カバーを取り付ける前の照明装置の状態を示す平面図である。
【図２０】防塵カバーを取り付けた後の照明装置の状態を示す斜視図である。
【図２１】防塵カバーを取り付けた後の照明装置の状態を示す断面図である。
【図２２】防塵カバーを取り付けた後の照明装置の状態を示す平面図である。
【図２３】図１に示した照明装置に備えられる本体シャーシおよび反射シートの分解斜視図である。
【図２４】（ａ）は本体シャーシに取り付けられた反射シートの平面図であり、（ｂ）は（ａ）に示したＳ−Ｓ断面の断面図である。
【図２５】取付部材により、反射シートが本体シャーシに取り付けられた状態の断面の拡大図である。
【図２６】本発明の実施形態２に係る照明装置の、本体シャーシに取り付けられた反射シートの平面図である。
【図２７】図２６に係る照明装置の、Ｔ−Ｔ断面の断面図である。
【図２８】（ａ）は本発明の実施形態３に係る照明装置の本体シャーシに取り付けられた反射シートの平面図であり、（ｂ）は（ａ）に示したＵ−Ｕ断面の断面図である。
【図２９】本発明の実施形態４にかかる照明装置の平面図である。
【図３０】図２９に示した照明装置の断面図である。
【図３１】図２９に示した照明装置に備えられるレンズの構成を示す説明図である。
【図３２】本発明の実施形態５にかかる照明装置の平面図である。
【図３３】図３２に示した照明装置の断面図である。
【図３４】図３３に示した照明装置に備えられるレンズの構成を示す拡大図である。
【発明を実施するための形態】
【００１３】
〔実施形態１〕
本発明の一実施形態について説明する。なお、本実施形態では、本発明を家屋等の天井に取り付けられるシーリングライトに適用する場合について説明するが、本発明の適用対象はこれに限るものではない。
【００１４】
（１−１．照明装置１の全体構成）
図１は本実施形態にかかる照明装置１の外観を示す正面図（床面側から見た図）および側面図である。また、図２（ａ）は照明装置１における図１に示したＡ−Ａ断面の断面図であり、図２（ｂ）は図２（ａ）に示したＢ部の拡大図である。また、図３は照明装置１の分解斜視図である。
【００１５】
これらの図に示したように、照明装置１は、シャーシ２、反射シート３、電源ユニット４、電源カバー５、アダプタ６、アダプタカバー７、防塵カバー８、リングカバー９、およびセンターカバー１０を備えている。
【００１６】
シャーシ２は、照明装置１に備えられる各部を支持するための例えばアルミニウムあるいは鉄等の金属材料からなる部材であり、本体部としての本体シャーシ２ａおよび底面シャーシ２ｂからなる。なお、本体シャーシ２ａの形状および材質は上記した構成に限るものではなく、照明装置１の各部を支持するための十分な強度を有していれば樹脂製材料やセラミックス等であってもよい。ただし、本体シャーシ２ａは、後述する光源ユニット３０で生じた熱を外部に放散させるために熱伝導性が高い材質であることが好ましい。
【００１７】
本体シャーシ２ａの中央部には、照明装置１からの照明光の出射方向側の面である表面側（リングカバー９側）から裏面側（天井側）に貫通する開口部が設けられており、この開口部の周囲には本体シャーシ２ａの内縁部を表面側（床側）に折り曲げることにより形成された６個の光源ユニット支持部２０が設けられている。すなわち、光源ユニット支持部２０は本体シャーシ２ａの一部を折り曲げることによって本体シャーシ２ａと一体的に形成されている。また、各光源ユニット支持部２０は略同一の形状からなり、かつ、上記の折り曲げによって形成される稜（２つの面の交わりの線分）である折り曲げ部２０ａが本体シャーシ２ａの外縁によって形成される円の中心を通る放射線と略直交するように上記中心に対して点対称に設けられている。これにより、各光源ユニット支持部２０は、床面側から見たときに略正六角形を成すように上記開口部の周囲、すなわち本体シャーシ２ａの中央部に配置されている。また、本体シャーシ２ａは、後述する反射シート３を有する。
【００１８】
なお、本実施形態では、６個の光源ユニット支持部２０を六角形状に配置してあるが、光源ユニット支持部２０の数および配置方法はこれに限るものではない。例えば、光源ユニット支持部２０を、四角形状、八角形状、あるいは他の多角形状に配置し、後述する光源３２を本体シャーシ２ａの周方向に沿って周状（多角形状）に配置をなすように各光源ユニット支持部２０に設ける構成としてもよい。
【００１９】
また、照明装置１の本体部としての本体シャーシ２ａは、図５や図２４（ｂ）に示す断面図のように、略円環形状の板状部材を外周側に向かうほど表面がリングカバー９側に近づくように表面に段差部が設けられている。上記段差部は、本体シャーシ２ａの全周にわたって設けられている。より具体的には、本体シャーシ２ａは、上記表面（リングカバー９側の面）に対する直交方向の位置が、折り曲げ部２０ａの上記直交方向の位置と略同一である内周部２ａ１（第１面）と、上記直交方向の位置が内周部２ａ１よりもリングカバー９側に位置する外周部２ａ２（第２面）とを有している。内周部２ａ１は、本体シャーシ２ａの中央部の領域であり、外周部２ａ２は本体シャーシ２ａにおける内周部２ａ１よりも外周側の領域である。内周部２ａ１と外周部２ａ２との間は段差部２ａ３により連結されている。上記内周部２ａ１、外周部２ａ２、および段差部２ａ３の形成方法としてはプレス加工が好適に用いられるが、これに限らず、成型や切削等の他の方法により形成してもよい。
【００２０】
本体シャーシ２ａにおける上記開口部（各光源ユニット支持部２０によって囲まれる領域）には、電源ユニット４、電源カバー５の一部、アダプタ６、アダプタ取付部６ａ，６ｂ、アダプタカバー７、および防塵カバー８の一部が配置されている。
【００２１】
電源カバー５は、中央部に設けられた、アダプタ取付部６ａ，６ｂの外径形状に応じた形状を有する開口部５ａと、当該開口部５ａの周囲に設けられた、床側に窪んでおり、天井側が開口した形状からなる電源収容部５ｂと、電源収容部５ｂの周囲に設けられた天井面に対して略平行な鍔部５ｃとを備えている。これにより、電源カバー５は、電源収容部５ｂ内に電源ユニット４を収容して電源ユニット４を保護するようになっている。なお、電源収容部５ｂの外周部は６個の光源ユニット支持部２０の内側（本体シャーシ２ａの外縁がなす円の中心側）に収容可能な形状になっている。これにより、電源ユニット４を照明装置１の本体内に収容し、電源ユニットを各光源ユニット支持部２０によって囲まれる領域よりも天井側に配置する場合に比べて照明装置１を薄型化することができる。
【００２２】
電源ユニット（電源基板）４は、照明装置１の外部から供給される電力を受電して照明装置１の各部に供給するための電源回路やユーザからの指示や各種センサの検出結果等に応じて各光源の発光状態を制御する制御回路などの回路基板を備えている。なお、電源ユニット４は上記各回路が配置された面である主面が天井側を向くように配置されている。また、電源ユニット４の背面側（床面側）には、各種センサ（例えば照明装置１の周囲の明るさを検知する光センサや照明装置１に対する指示を行うためのリモコン（図示せず）から送信される赤外線信号を受信するセンサなど）が備えられたセンサユニット４０が取り付けられている。本実施形態では、アダプタ６から電源ユニット４に電力を供給するための電源ケーブルがセンサユニット４０を介して電源ユニット４に接続されるようになっている。センサユニット４０の構成の詳細については後述する。
【００２３】
底面シャーシ２ｂは、アダプタ６の外径形状に応じた開口部を有する略円板状の部材であり、本体シャーシ２ａとの間に電源カバー５の鍔部５ｃを挟持した状態で本体シャーシ２ａに取り付けられる。これにより、電源ユニット４およびセンサユニット４０が電源カバー５の電源収容部５ｂに収容されるとともに電源収容部５ｂの天井側に設けられた開口面が底面シャーシ２ｂによって閉塞されている。また、本実施形態では、本体シャーシ２ａと底面シャーシ２ｂとを別体にすることにより、光源ユニット３０で生じて本体シャーシ２ａに伝達された熱が底面シャーシ２ｂを介して電源ユニット４へ伝達されることを抑制し、電源ユニット４の温度上昇が生じることを低減している。なお、光源ユニット３０で生じて本体シャーシ２ａに伝達された熱は、主に本体シャーシ２ａの外縁側へと伝熱されて放熱される。底面シャーシ２ｂの材質は特に限定されるものではなく、例えば本体シャーシ２ａと同様の材質を用いることができる。
【００２４】
アダプタ取付部６ａ，６ｂは、照明装置１を天井（設置対象物）に取り付ける際にアダプタ６を保持するとともに、シャーシ２や電源カバー５などの金属からなる部材のエッジを隠す役割を担っている。アダプタ取付部６ａ，６ｂは、外径部分が電源カバー５の開口部５ａの内径形状に応じた形状であり、内径部分がアダプタ６の外径部分に応じた形状を有する略円環状（略円筒状）の部材であり、電源カバー５の開口部５ａに取り付けられている。また、アダプタ取付部６ａ，６ｂの内周面には、後述するアダプタ６の可動部６ｄが係合される溝部（図示せず）がそれぞれ設けられている。また、アダプタ取付部６ａにおける周方向の一部には、内周側から外周側へ連通した切欠部６ｃが設けられており、この切欠部６ｃには後述する基板側コネクタ４８が備えられている。
【００２５】
アダプタ６は、照明装置１を天井に取り付けるための部材であり、アダプタ６における直径方向の両端には、直径方向外側に向けてバネ等の弾性部材（図示せず）によって付勢された可動部６ｄが備えられている。また、上述したように、アダプタ取付部６ａ，６ｂの内周面にはアダプタ６の可動部６ｄに応じた径を有する溝部が設けられており、可動部６ｄがアダプタ取付部６ａ，６ｂのいずれかの溝部に嵌り込むことにより、照明装置１が天井に取り付けられる。
【００２６】
具体的には、本実施形態にかかる照明装置１は、天井からの高さが異なる２種類の天井側取付部材に対応しており、天井側取付部材の種類に応じて、アダプタ６の可動部６ｄがアダプタ取付部６ａまたはアダプタ取付部６ｂのいずれかの溝部に嵌合するようになっている。
【００２７】
アダプタ６の可動部６ｄをアダプタ取付部６ａに嵌合させる場合、アダプタ６を天井側取付部材に装着した後、アダプタ取付部６ａ，６ｂ、電源カバー５、電源ユニット４、本体シャーシ２ａ、底面シャーシ２ｂ、および反射シート３を組み立てた状態でこれら各部材の中央部に設けられた開口部に天井側取付部材に装着されたアダプタ６を挿入するようにこれら各部材を天井側に押し上げると、アダプタ取付部６ａの内縁部がアダプタ６の可動部６ｄに当接して可動部６ｄが直径方向内側に押し込まれる。そして、上記各部材をさらに天井側に押し上げると、アダプタ取付部６ａの内縁部がアダプタ６の可動部６ｄとの当接部を通過し、可動部６ｄがアダプタ取付部６ａの内周面に設けられた溝部に嵌り込み、直径方向内側に押し込まれた状態が解除される。これにより、アダプタ取付部６ａ，６ｂが天井とアダプタ６の可動部６ｄとの間に挟まれた状態で保持され、それによって照明装置１が天井に固定される。
【００２８】
また、アダプタ６の可動部６ｄをアダプタ取付部６ｂに嵌合させる場合には、アダプタ取付部６ａに嵌合させる場合と同様の方法でアダプタ６の可動部６ｄをアダプタ取付部６ａに嵌合させた後、アダプタ取付部６ａ，６ｂ、電源カバー５、電源ユニット４、本体シャーシ２ａ、底面シャーシ２ｂ、および反射シート３を組み立てた構造体をさらに天井側に押し上げる。これにより、アダプタ取付部６ｂの内縁部がアダプタ６の可動部６ｄに当接して可動部６ｄが直径方向内側に押し込まれる。そして、上記各部材をさらに天井側に押し上げると、アダプタ取付部６ｂの内縁部がアダプタ６の可動部６ｄとの当接部を通過し、可動部６ｄがアダプタ取付部６ｂの内周面に設けられた溝部に嵌り込み、直径方向内側に押し込まれた状態が解除される。これにより、アダプタ取付部６ｂが天井とアダプタ６の可動部６ｄとの間に挟まれた状態で保持され、照明装置１が天井に固定される。
【００２９】
なお、アダプタ６には、天井側取付部材に備えられる電源供給部に電気的に接続される電気接続部（図示せず）と、上記電源供給部を介して供給される電力を電源ユニット４に供給するための電源ケーブル６ｅとが設けられている。アダプタ６を天井側取付部材に装着すると、アダプタ６の電気接続部は天井側取付部材に設けられている電源供給部（図示せず）に電気的に接続される。そして、アダプタ６の電源ケーブル６ｅの先端に設けられたアダプタ側コネクタ６ｆを、アダプタ取付部６ａの切欠部６ｃを介してセンサユニット４０に取り付けられた基板側コネクタ４８（後述する図９（ｂ）参照）に装着することにより、基板側コネクタ４８から伸びる電源ケーブル（図示せず）を介して電源ユニット４に電力が供給されるようになっている。
【００３０】
アダプタ６をアダプタ取付部６ａまたは６ｂに装着して照明装置１を天井に取り付けた後、アダプタ取付部６ａの床面側にはアダプタ６やアダプタ取付部６ａ，６ｂが配置されている電源カバー５の開口部を覆うようにアダプタカバー７が取り付けられる。
【００３１】
図４（ａ）はアダプタカバー７の斜視図であり、図４（ｂ）はアダプタカバー７を照明装置１に取り付けた状態を模式的に示した断面図である。図４（ａ）に示すように、アダプタカバー７は、反射面７ａと３つの爪部７ｂとを備えている。爪部７ｂは、アダプタカバー７を照明装置１に取り付けるための係合部であり、図４（ｂ）に示すように、爪部７ｂをアダプタ取付部６ａに係合させることによってアダプタカバー７を照明装置１に取り付けるようになっている。
【００３２】
反射面７ａは、光源ユニット３０から照射されて防塵カバー８の反射部（反射部材）８ａおよび透過部（透過部材）８ｂを介して当該反射面７ａに到達した光をセンターカバー１０側へ反射する。すなわち、後述するように、本実施形態では、光源ユニット３０から出射される光は、主に光源ユニット支持部２０よりも照明装置１の外縁側の領域である主照明領域に出射されるが、光源ユニット３０から床側に漏れる光は防塵カバー８の反射部８ａおよび透過部８ｂを介して光源ユニット支持部２０よりも照明装置１の内側の領域（各光源ユニット支持部２０によって囲まれる領域）である副照明領域に出射される。これにより、主照明領域の明るさを低下させることなく副照明領域についても照明できるようになっている。なお、光源ユニット３０から防塵カバー８の反射部８ａおよび透過部８ｂを介して副照明領域に入射した光は、電源カバー５の表面およびアダプタカバー７の反射面７ａで反射されてセンターカバー１０に入射し、センターカバー１０を透過して照明装置１の外部に出射される。
【００３３】
アダプタカバー７の材質は、少なくとも反射面７ａが光を反射する性質を有するものであれば特に限定されるものではなく、従来から公知の材質を用いることができる。本実施形態では、高反射性の樹脂材料からなるアダプタカバー７を用いた。なお、反射面７ａに光反射性を有する塗料を塗布することによって反射面７ａに光反射性を付与してもよい。また、反射面７ａと爪部７ｂとは同じ材質であってもよく、異なる材質であってもよい。
【００３４】
また、防塵カバー８の反射部８ａおよびアダプタカバー７の反射面７ａは、光を拡散させて反射させる性質を有するものであってもよい。この場合、光源３２からレンズ３３を介して副照明領域に入射される光は、反射部８ａおよび反射面７ａで２度にわたって反射・拡散されるので、センターカバー１０の円板部１０ｂに入射する光にレンズ３３の係止部５４の形状に起因する輝度むらが生じることを防止できる。特に、本実施形態のように係止部５４がレンズ３３の延伸方向に沿って部分的に設けられている構成の場合には係止部５４の配置位置や形状に応じた輝度むらが生じやすいが、反射部８ａおよび反射面７ａで二重に反射・拡散させることにより、輝度むらを適切に防止できる。
【００３５】
なお、図４（ａ）に示した例では、反射面７ａの形状は、アダプタカバー７の直径方向の一端側から他端側にかけてなだらかに湾曲しながら床面側に凸となっており、直径方向の中央部が略平坦状になった形状になっているが、これに限るものではない。例えば、図４（ｃ）に示したように、アダプタカバー７の直径方向の中央部が床面側に突出した形状であってもよい。これにより、センターカバー１０の中心部分まで効率よく照明することができる。
【００３６】
このように、本実施形態では、アダプタカバー７の反射面７ａの形状を中央部が床面側に凸となる形状にすることにより、防塵カバー８の反射部８ａおよび透過部８ｂを介して副照明領域に入射してくる光を反射面７ａによってセンターカバー１０に向けて効率よく反射させ、センターカバー１０をより均一に光らせることができるようになっている。
【００３７】
防塵カバー８は、光源ユニット３０に対して照明光の出射側、すなわち本体シャーシ２ａと反対側の位置に光源ユニット３０と対向するように配置される反射部８ａと、反射部８ａに対して照明装置１の内側に配置され、光源ユニット３０から出射されて反射部８ａで反射された光を透過する透過部８ｂとを備えている。なお、透過部８ｂは電源カバー５とセンターカバー１０とに密着した状態で保持されるようになっており、それによって埃や虫などが光源ユニット３０が備えられている空間に侵入することを防止している。すなわち、防塵カバー８は、埃や虫などが光源ユニット３０が備えられている空間に侵入することを防止するとともに、光源ユニット３０から出射される光の一部を光源ユニット３０が配置されている領域よりも照明装置１の内側（光源ユニット３０から出射される光の出射方向の中心軸である光軸方向に対して反対側。照明装置１の中央部側。）の副照明領域に導く。防塵カバー８の詳細については後述する。
【００３８】
なお、本実施形態では、副照明領域に、当該副照明領域に入射した光をセンターカバー１０の円板部１０ｂに向けて反射させるための反射部材（第２反射部材）としてアダプタカバー７を設けているが、これに限るものではない。例えば、本体シャーシ２ａと一体的に設けられる部材や電源カバー５などを上記反射部材（第２反射部材）として用いてもよい。この場合にも、上記反射部材は、副照明領域の中心に向かうほどセンターカバー１０側に凸となる形状にすることが好ましい。
【００３９】
また、本実施形態では、各光源ユニット３０を略六角形の周状に配置しており、周状に配置された光源ユニット３０によって囲まれる領域（中央領域）に平面視が略円形のアダプタカバー７を設けているが、これに限るものではない。例えば、光源ユニット３０を、環状、楕円状、六角形以外の多角形状、あるいはそれらを組み合わせた形状に配置してもよい。また、光源ユニット３０を、当該光源ユニット３０に備えられる各光源３２の光出射方向が互いに反対側を向くように列状に配置し、光源ユニット３０同士の対向領域（中央領域）に、各光源ユニット３０から遠ざかるほどセンターカバー１０側に凸となった形状のアダプタカバー７を設けてもよい。
【００４０】
各光源ユニット３０は、本体シャーシ２ａの床側の面（反射面）に対して立設された各光源ユニット支持部２０における本体シャーシ２ａの外縁側の光源取付面２０ｂ（反射面側の面）にそれぞれ取り付けられている。各光源ユニット３０は、光源基板３１、光源３２（本実施形態では、後述する光源Ｗ１〜Ｗ５、Ｃ１〜Ｃ４、Ｒ１〜Ｒ３、Ｎ１を総称して光源３２と称する）、およびレンズ３３からなり、光源３２からの出射光の光軸方向（光出射方向）が本体シャーシ２ａの表面に沿って本体シャーシ２ａの外周部２ａ２側（外縁側）を向くように光源ユニット支持部２０に取り付けられている。すなわち、各光源ユニット３０は、光源３２の光軸方向が本体シャーシ２ａの面方向に沿って本体シャーシ２ａの外縁側を向く方向になるように光源ユニット支持部２０に取り付けられている。以上のようにして、光源３２は本体シャーシ２ａの中央部に取り付けられる。
【００４１】
このように、光源ユニット３０からの出射光が照明装置１の中央部から外周部２ａ２側に向かって出射される構成にすることにより、照明装置１の側方から天井部を明るく照らすことができ、室内をより明るく感じさせることができる。また、本実施形態では、後述するように、光源３２からの出射光の一部がレンズ３３および反射部８ａを介して照明装置１の中央部（光源ユニット支持部２０によって囲まれる領域）の中心方向に導光され、照明装置１の主照明領域（リングカバー９）のみならず、照明装置１の副照明領域（センターカバー１０の円板部１０ｂ）を発光させることができるようになっている。
【００４２】
なお、本体シャーシ２ａの面方向とは、本体シャーシ２ａの表面に概ね平行な方向を意味しており、必ずしも厳密に本体シャーシ２ａの表面に平行である必要はなく、本体シャーシ２ａの表面と交差する方向も含まれる。
【００４３】
また、光源ユニット３０の配置位置および光出射方向は上記の方向に限るものではなく、例えば光源ユニット３０を照明装置１の外周部に配置して、光源３２からの出射光の光軸方向が照明装置１の中央側を向くようにしてもよい。この場合、光源３２から当該光源３２の光出射方向に出射される光を用いて照明装置１の外周部から中央部までの領域に配光するとともに、光源３２から出射される光の一部を光源３２の光出射方向と反対側の照明装置１の外周部および照明装置１の周囲の領域（例えば、照明装置１の設置面としての天井面）に配光することができる。
【００４４】
レンズ３３は、光源基板３１に備えられる光源３２から出射される光を屈折させて所定の方向に出射させるためのものである。つまり、レンズ３３は、光源３２から出射された光の配光を制御するためのものである。なお、本実施形態では、光源３２を構成する複数のＬＥＤが光源基板３１上で本体シャーシ２ａの表面に沿った方向に複数並べて配置(並設)されており、レンズ３３はこの光源３２の並設方向に沿って延伸した形状を有している。
【００４５】
レンズ３３の材質は特に限定されるものではないが、例えば、透明なアクリル樹脂やポリカーボネート樹脂などからなるレンズを用いることができる。なお、詳細は後述するが、レンズ３３は、光源３２から入射した光を主に反射シート３に向けて出射させる光学特性を有しており、反射シート３で反射した光によってリングカバー９の略全域に略均等な照度分布を形成できるようになっている。また、レンズ３３に入射した光の一部は床側に出射され、防塵カバー８の反射部８ａおよび透過部８ｂを介して副照明領域へ導かれるようになっている。
【００４６】
図５は、光源ユニット３０から出射される光の照明装置１内における進行方向を模式的に示した説明図である。この図に示すように、光源３２から出射された光は光源３２に対向配置されたレンズ３３に入射し、その大部分はレンズ３３で屈折されて本体シャーシ２ａの反射面に取り付けられた反射シート３に向けて出射される。そして、反射シート３に到達した光は反射シート３で反射されてリングカバー９に入射し、リングカバー９を透過して照明装置１の外部に出射される。なお、本実施形態では光透過性および光拡散性を有する材質からなるリングカバー９を用いている。また、レンズ３３、本体シャーシ２ａ、反射シート３、およびリングカバー９の形状を、反射シート３で反射されてリングカバー９に入射する光によってリングカバー９に生じる輝度分布がリングカバー９の位置によらず略一定になるように設計している。これにより、リングカバー９の略全域が均一に発光するようになっている。なお、本実施形態ではレンズ３３から出射される光が反射シート３に向けて出射されるものとしているがこれに限るものではなく、レンズ３３からの出射光の少なくとも一部が反射シート３に向かう構成であればよい。例えば、レンズ３３からの出射光の光軸方向が反射シート３の反射面と交差する方向であってもよく、上記反射面に平行な方向であってもよい。
【００４７】
また、光源３２から出射されてレンズ３３に入射した光の一部はレンズ３３における床面側の面から出射され、防塵カバー８の反射部８ａで反射され、透過部８ｂを介して各光源ユニット支持部２０よりも内側の領域である副照明領域に入射する。副照明領域に入射した光は、電源カバー５およびアダプタカバー７で反射されてセンターカバー１０の円板部１０ｂを介して照明装置１の外部に出射される。なお、円板部１０ｂは光透過性および光拡散性を有する材質からなり、円板部１０ｂの略全域が略均一に発光する。なお、光源ユニット３０の構成、および光源ユニット３０の光源ユニット支持部２０に対する取付方法については後述する。
【００４８】
反射シート（反射面）３は、光源ユニット３０から出射される光を反射するためのシート状の部材であり、例えばＰＥＴ（polyethylene terephthalate）やＰＰ（polypropylene）等に硫酸バリウムもしくは酸化チタンを混ぜ合わせた材料、樹脂に微細な気泡を形成した材料、金属板に銀を蒸着した材料、または金属板に酸化チタン等を含む塗料を塗布した材料からなる。
【００４９】
反射シート３は、本体シャーシ２ａの外周部２ａ２から内周部２ａ１の端部である折り曲げ部２０ａまでの領域を覆うように本体シャーシ２ａのリングカバー９側（照明装置１の照明光の出射方向側）の表面に全体的に取り付けられることで、光源３２から出射された光を反射してリングカバー９側に出射する反射面を形成する。
【００５０】
一般に、反射シートは、シャーシの反射面に光反射性の塗料を塗布したり、シャーシ自体を光反射性を有する材質で構成したりする場合よりも高い反射率を実現できる。したがって、本実施形態のように本体シャーシ２ａの反射面に反射シート３を取り付けることにより、高い反射率を得ることができ、光利用効率を向上させることができる。
【００５１】
また、本実施形態では、図５、図２４（ｂ）に示すように、本体シャーシ２ａは、略円環形状の板状部材の表面に、外周側に向かうほどリングカバー９側に近づくように段差を設けた形状を有している。換言すると、本体シャーシ２ａは、光源３２から光源３２の光出射方向側に離隔した位置に段差部２ａ３を有しており、この段差部２ａ３により、段差部２ａ３に対して光源３２から遠い側の領域である外周部２ａ２が段差部２ａ３に対して光源３２に近い側の領域である内周部２ａ１よりもリングカバー９側に近づけられている。反射シート３はこの本体シャーシ２ａの形状に沿っての内周部２ａ１から外周部２ａ２側にかけて本体シャーシ２ａの表面に対して傾斜面をなすように本体シャーシ２ａに取り付けられている。
【００５２】
これにより、反射シート３で反射された光によりリングカバー９の略全域をより均一な照度で照らすことができ、リングカバー９の略全域が略均一な輝度で発光する発光面を形成することができる。反射シート３の構成は上述した例に限定されるものではなく、例えば従来から公知の種々の反射シートを用いることができる。反射シート３の形状およびシャーシ２に対する反射シート３の取付方法の詳細については後述する。
【００５３】
なお、反射シート３の外周部の形状は、環状に限るものではなく、楕円状、多角形状、あるいはそれらを組み合わせた形状であってもよい。また、反射シート３の外周部の形状は、本体シャーシ２ａの外周部と相似形であってもよく、非相似形であってもよい。
【００５４】
照明装置１の照明光を出射するカバーとしてのリングカバー（カバー部材）９は、中央部に円形の開口部を有するリング形状のカバー部材であり、反射シート３が形成する反射面に対向して設けられる。リングカバー９は、光源ユニット３０から出射され、反射シート３で反射された光を拡散させて照明装置１の外部に照明光として出射する。なお、リングカバー９の周縁部は本体シャーシ２ａの周縁部に応じた形状を有しており、リングカバー９の周縁部はガスケット（図示せず）を介して本体シャーシ２ａの周縁部に取り付けられている。これにより、リングカバー９と本体シャーシ２ａ（反射シート３）との間の領域が照明装置１の外部から気密されている。
【００５５】
リングカバー９の材質は光透過性を有するものであれば特に限定されるものではなく、例えば従来から公知の材質を用いることができる。本実施形態では、乳白色の光拡散性を有するアクリル樹脂からなるリングカバー９を用いたが、これに限らず、例えばポリカーボネート樹脂等であってもよい。また、本発明のカバーはリングカバー９のようなリング形状に限らず、円盤形状であってもよいし、多角形状等その他の形状であってもよく、特に限定されない。つまり、リングカバー９と後述するセンターカバー１０とは一体的に形成されていてもよい。
【００５６】
センターカバー（カバー部材）１０は、遮光性を有するリング状の遮光部（遮光部材）１０ａと、光透過性および光拡散性を有する円板状部材からなる円板部（カバー部材）１０ｂとを備えており、リングカバー９の中央部に設けられた開口部を覆うように取り付けられる。なお、センターカバー１０はリングカバー９と密着して取り付けられており、照明装置１におけるセンターカバー１０およびリングカバー９の内部の空間は照明装置１の外部の空間から気密されている。
【００５７】
遮光部１０ａの材質は、遮光性を有する材質であれば特に限定されるものではないが、例えば、光を透過しない樹脂製のリング部材や、アルミニウムや鉄などの金属製のリング部材を用いることができる。また、遮光部１０ａにおけるセンサ基板４７に備えられる光センサに対応する位置には光センサに照明装置１の外部から入射する光を導くための穴部（図示せず）が設けられている。なお、本実施形態では、白色の樹脂材料からなる円環状の遮光部１０ａを用いるとともに、図４に示すように遮光部１０ａにおける床側の面に周方向に沿ったギザギザ形状（凹凸が交互に並んだ形状）を形成した。これにより、遮光部１０ａの材料に樹脂材料を使用した場合に遮光部１０ａから薄く透けて見えてしまう照明装置１内の部材等による影などが遮光部１０ａを介して視認されることをより適切に防止できる。
【００５８】
円板部１０ｂの材質についても、光透過性および光拡散性を有するものであれば特に限定されるものではなく、例えばリングカバー９と同様の材質のものを用いることができる。
【００５９】
なお、本実施形態では、図６に示すように、リングカバー９になる部分とセンターカバー１０の円板部１０ｂになる部分とを含む１枚の平板状部材を加熱して成型した後、両者をカットライン１１で切り分けることによりリングカバー９と円板部１０ｂとを製造している。カットライン１１は、略円形形状の円周方向に沿って３箇所にリングカバー９側から円板部１０ｂ側に突出した突出部１２ａが略均等な間隔で形成されるように設定されている。上記の各突出部１２ａには、リングカバー９を照明装置１に取り付けるためのネジ穴１２がそれぞれ設けられている。なお、本実施形態では、円板部１０ｂの外径を２５７．６ｍｍ、カットライン１１の幅を６ｍｍ、リングカバー９の内径を２６９．６ｍｍとしている。
【００６０】
（１−２．センサユニット４０の構成およびＬＥＤケーブルの接続方法）
次に、センサユニット４０の構成およびＬＥＤケーブルの接続方法について説明する。
【００６１】
図７（ａ）は、センサユニット４０を電源カバー５の電源収容部５ｂに収容した状態を示す平面図であり、図７（ｂ）は図７（ａ）に示したＣ−Ｃ断面の断面図である。なお、図７（ａ）では、底面シャーシ２ｂおよび電源ユニット４の図示を省略している。
【００６２】
図８は電源ユニット４およびセンサユニット４０の分解斜視図である。
【００６３】
図９（ａ）はセンサユニット４０を電源カバー５の電源収容部５ｂに収容した状態を示す説明図であり、センサユニット４０の床側の面を示している。なお、図９（ａ）ではリングカバー９、センターカバー１０、電源カバー５、およびアダプタカバー７の図示を省略している。図９（ｂ）は図９（ａ）に示したＤ部の拡大図である。図９（ｃ）はセンサユニット４０の電源ユニット４に対する取付方法を示す説明図である。
【００６４】
図１０（ａ）はセンサユニット４０を電源カバー５の電源収容部４ｂに収容した状態を示す説明図であり、センサユニット４０の天井側の面を示している。なお、図１０（ａ）は電源ユニット４および底面シャーシ２ｂを取り付ける前の状態を示している。また、図１０（ｂ）は図１０（ａ）に示したＥ部の拡大図である。
【００６５】
図８に示すように、センサユニット４０は、センサ基板ホルダ４１、コネクタ支持部４２、係合爪部４３、ケーブル保護部４４、センサ基板４７、および基板側コネクタ４８を備えている。なお、本実施形態では、センサ基板ホルダ４１、コネクタ支持部４２、係合爪部４３、およびケーブル保護部４４は、同一の樹脂材料によって一体的に形成されている。ただし、これに限らず、これら各部材は別々に形成されていてもよく、材質も互いに異なっていてもよい。
【００６６】
センサ基板ホルダ４１は、図１０（ｂ）に示すように内部が空洞になっており、この空洞部分にセンサ基板４７を収容して保持する。センサ基板４７には、各種センサ（例えば照明装置１の周囲の明るさを検知する光センサや照明装置１に対する指示を行うためのリモコン（図示せず）から送信される赤外線信号を受信するセンサなど）が備えられている。
【００６７】
コネクタ支持部４２は、アダプタ６に備えられるアダプタ側コネクタ６ｆが接続される基板側コネクタ４８を保持するためのものであり、センサ基板ホルダ４１の一部に備えられている。センサユニット４０を電源ユニット４に取り付けた後、基板側コネクタ４８を図９（ｃ）の矢印αに示すようにコネクタ支持部４２に対して電源ユニット４の外径側から内径側へ押し込むことにより、基板側コネクタ４８がコネクタ支持部４２に保持される。
【００６８】
また、図９（ｂ）に示すように、アダプタ取付部６ａにおける基板側コネクタ４８に対応する位置には切欠部６ｃが設けられており、コネクタ支持部４２に保持された基板側コネクタ４８におけるアダプタ側コネクタ６ｆが接続される接続部が切欠部６ｃを介してアダプタ取付部６ａの内側に露出するようになっている。また、コネクタ支持部４２は切欠部６ｃに応じた形状を有しており、切欠部６ｃとコネクタ支持部４２との間には隙間が生じないようになっている。これにより、アダプタ取付部６ａの内側（アダプタ６が取り付けられる側）からセンサユニット４０や電源ユニット４が配置される側に埃や虫等が入り込むことを防止できるようになっている。
【００６９】
係合爪部４３は、センサ基板ホルダ４１の空洞部分の両側に電源ユニット４側に突出するように備えられている。また、電源ユニット４における係合爪部４３に対応する位置には係合穴部４ａが備えられている。これにより、センサユニット４０を電源ユニット４に対して図９（ｃ）に示す矢印βの方向に押し込むことで、係合爪部４３が係合穴部４ａに係合し、センサユニット４０が電源ユニット４に取り付けられるようになっている。
【００７０】
ケーブル保護部４４は、センサ基板ホルダ４１におけるアダプタ６との対向面とは反対側の面から照明装置１の外縁側に突出するように設けられており、電源ユニット４の基板面に略平行な板状部材からなる。ケーブル保護部４４の一部には、ケーブル保護部４４を構成する板状部材の表面側から裏面側に貫通したケーブル挿入孔４５が設けられている。ケーブル挿入孔４５の周縁部には、ケーブル保護部４４を構成する板状部材のエッジ部を板面に対して折り曲げるとともに先端部の角を取り除いて滑らかな曲面状にしたリム部６２が設けられている。また、ケーブル保護部４４の一部には、ケーブル保護部４４を構成する板状部材の外縁部からケーブル挿入孔４５に連通した連通部６３が設けられており、ＬＥＤケーブル４９がこの連通部６３を介してケーブル挿入孔４５に挿入されるようになっている。また、ケーブル保護部４４を構成する板状部材の外縁部には、床側から天井側に窪んだエッジカバー部４６が設けられている。
【００７１】
図３に示したように、本体シャーシ２ａにおけるケーブル保護部４４に対応する位置には本体シャーシ２ａの内縁部の一部（光源ユニット支持部３０同士の間の領域）を外縁側に向けて切り欠いた切欠部２ｃが設けられている。また、電源カバー５の鍔部５ｃにおけるケーブル保護部４４に対応する位置には、鍔部５ｃの外縁部の一部を内縁側（電源収容部５ｂ側）に向けて切り欠いた切欠部５ｄが設けられている。
【００７２】
なお、切欠部２ｃにおける本体シャーシ２ａの外縁部がなす円の周方向の幅は、切欠部５ｄにおける同方向の幅よりも狭くなっている。また、ケーブル保護部４４のケーブル挿入孔４５の内径は切欠部２ｃにおける上記幅よりも狭くなっており、エッジカバー部４６は鍔部５ｃの切欠部５ｄのエッジに応じた形状になっている。また、後述するように、反射シート３における切欠部２ｃに対応する位置には切欠部２ｃよりも周方向の幅が狭く外形が小さい切欠部３ｆが設けられている。
【００７３】
これにより、センサユニット４０を電源収容部５ｂに収容したときに、切欠部２ｃ、切欠部３ｆ、切欠部５ｄ、およびケーブル挿入孔４５が連通し、これら各部を介してＬＥＤケーブル４９をセンサユニット４０の表面側（床側）から裏面側（天井側）に通して電源ユニット４の所定の位置に接続できるようになっている。この際、上述したように、ケーブル挿入孔４５の内径および反射シート３の切欠部３ｆの周方向の幅が切欠部２ｃの周方向の幅よりも狭くなっているので、ＬＥＤケーブル４９が切欠部２ｃに接触することを防止し、切欠部２ｃとの接触によってＬＥＤケーブル４９が傷付くことを防止できるようになっている。また、ケーブル保護部４４のエッジカバー部４６は鍔部５ｃの切欠部５ｄのエッジに応じた形状になっており、センサユニット４０を電源収容部５ｂに収容したときに切欠部５ｄのエッジがエッジカバー部４６によって覆われる。これにより、ＬＥＤケーブル４９が切欠部５ｄに接触することを防止し、切欠部５ｄとの接触によってＬＥＤケーブル４９が傷付くことを防止できるようになっている。
【００７４】
また、本実施形態では、センサ基板４７を収容するためのセンサユニット４０を用いてコネクタ支持部４２およびケーブル保護部４４を形成している。これにより、部品点数を増加させることなく、ＬＥＤケーブルを電源ユニット４に適切に接続するとともに、ＬＥＤケーブルが金属部材のエッジと接触することの防止、基板側コネクタ４８の保持、および電源ユニット４が備えられる空間への埃や虫の侵入の防止を図ることができる。
【００７５】
（１−３．光源ユニット支持部２０および光源ユニット３０の構成）
図１１（ａ）は本体シャーシ２ａ、および光源ユニット３０の構成を示す説明図である。また、図１１（ｂ）は図１１（ａ）に示したＦ部の拡大図である。また、図１１（ｃ）は光源ユニット３０の取付方法を示す説明図である。なお、図１１（ａ）では反射シート３については記載を省略している。
【００７６】
図１１（ｂ）に示したように、各光源ユニット支持部２０は、本体シャーシ２ａの内縁側を照明光の光出射方向側へ折り曲げることによって形成された立設部２１と、立設部２１の先端を本体シャーシ２ａの中央側に向けて折り曲げた先端部２２とを有している。また、先端部２２には、立設部２１に対する折り曲げ部が成す直線に沿って所定の間隔を隔てて配置された当該先端部２２を貫通する２つの貫通穴２３・２３が設けられている。また、立設部２１には、光源ユニット３０が取り付けられる側からその裏面側へ貫通した２つの貫通穴２４・２４が設けられている。また、本体シャーシ２ａにおける立設部２１に設けられた各貫通穴２４・２４の近傍の位置には、図３に示すように、本体シャーシ２ａを貫通する貫通穴２ｄ・２ｄが設けられている。また、立設部２１および本体シャーシ２ａには、立設部２１と本体シャーシ２ａとの折り曲げ部が成す直線に対して略垂直な方向に沿って本体シャーシ２ａおよび立設部２１の一部を裏面側（反射シート３が備えられる側とは反対側）に窪ませた溝状の補強部２５が各立設部２１に３つずつ備えられている。
【００７７】
なお、先端部２２は、立設部２１の強度を増加させるためのものであって必須の構成ではなく、先端部２２を設けなくても立設部２１が十分な強度を有する場合には先端部２２および貫通穴２３・２３を省略してもよい。同様に、補強部２５は立設部２１の強度を増加させるためのものであって必須の構成ではなく、補強部２５を設けなくても立設部２１が十分な強度を有する場合には補強部２５を省略したり補強部２５の数を減らしてもよい。
【００７８】
立設部２１は、本体シャーシ２ａ側から先端部２２の方向に向かうほど幅が狭くなった台形形状を有している。また、先端部２２は、立設部２１から遠ざかるほど幅が狭くなった台形形状を有しており、立設部２１から遠い側の端部の角部には面取りが施されている。したがって、各光源ユニット支持部２０同士の間は切り欠かれており、各光源ユニット支持部２０は隣接する他の光源ユニット支持部２０との間に間隔を有し、互いに独立して本体シャーシ２ａの内縁部に立設している。
【００７９】
本実施形態では、立設部２１における本体シャーシ２ａ側の面と本体シャーシ２ａにおける立設部２１側の面との成す角度が９０度よりも小さくなるように立設部２１を本体シャーシ２ａに対して折り曲げている。これにより、光源の光軸を本体シャーシ２ａの反射面（反射シート３）側（反射シート３）に向けることができるので、反射面を介さずにリングカバー９に直接する入射する光を低減することができ、リングカバー９の発光面に輝度ムラが生じることを抑制できる。ただし、立設部２１の本体シャーシ２ａに対する傾斜角度はこれに限るものではなく、各部の形状や要求される光学特性等に応じて適宜変更してもよい。
【００８０】
また、本実施形態では、本体シャーシ２ａの内縁部を折り曲げることによって光源ユニット支持部２０を形成しているが、これに限るものではない。例えば、光源ユニット支持部２０を本体シャーシ２ａとは別体に設けて本体シャーシ２ａに取り付けてもよく、本体シャーシ２ａの内縁部を絞り加工等によって立設させることで光源ユニット支持部２０を形成してもよく、成型加工または切削加工により光源ユニット支持部２０を形成してもよい。
【００８１】
本実施形態では、光源ユニット支持部２０を形成する際、まず、板状の本体シャーシ２ａの中央部を切削加工することにより、アダプタ６を挿入するための開口部（貫通孔）を形成するとともに、各光源ユニット支持部２０における立設部２１および先端部２２となる部分を形成する。具体的には、上記開口部の周縁部から本体シャーシ２ａの外縁側に向かって切り欠かれた複数の切欠部を上記開口部の周囲に所定間隔毎に形成する。これにより、隣接する立設部２１および先端部２２となる部分同士の間に上記切欠部が形成される。その後、立設部２１になる部分（隣り合う切欠部２６・２６間に挟まれたシャーシ２の一部）を本体シャーシ２ａに対して折り曲げ、さらに先端部２２を立設部２１に対して折り曲げる。なお、先に先端部２２を立設部２１に対して折り曲げてから立設部２１を本体シャーシ２ａに対して折り曲げてもよい。
【００８２】
このように、本体シャーシ２ａに対して切欠部を形成した上で立設部２１を折り曲げ加工により立設させることにより、折り曲げ部を稜角にし、光源ユニット３０を安定して保持するとともに、立設部２１の本体シャーシ２ａからの高さを低くして照明装置１の薄型化を図ることができる。また、本体シャーシ２ａと光源ユニット支持部２０とを一体的に形成することにより、本体シャーシ２ａと光源ユニット支持部２０との熱伝導性を向上させることができるので、光源ユニット３０で生じた熱を、光源ユニット支持部２０を介して本体シャーシ２ａに効率的に伝達させて放散させることができる。
【００８３】
なお、光源ユニット支持部２０を絞り加工等によって形成することも考えられるが、その場合には、立設部２１の折り曲げ部を上記のような稜角にすることが困難であり、本体シャーシ２ａの平面部と光源ユニット支持部２０の立設部２１との間の角部が曲率半径の大きい曲面になってしまう。その結果、立設部２１に光源ユニット３０を取り付けるための平面部を得るために光源ユニット３０の高さが高くなり、照明装置１の厚さが増してしまう。
【００８４】
また、光源ユニット支持部２０を本体シャーシ２ａとは別に形成して本体シャーシ２ａに取り付けることも考えられるが、その場合には、光源ユニット３０から本体シャーシ２ａへの伝熱特性が低下してしまい、光源ユニット３０で生じた熱を十分に放散できなくなる場合がある。また、光源ユニット支持部２０を本体シャーシ２ａに取り付けるためのネジ等が本体シャーシ２ａの反射面に突出することにより、光学特性に悪影響を及ぼす場合がある。また、伝熱特性を向上させるために光源ユニット支持部２０と本体シャーシ２ａとの間に熱伝導性の高い伝熱シートを挟み込むことが考えられるが、その場合には、部品点数および作業工程が増加し、製造コストが増大してしまう。
【００８５】
図１１（ｂ）および図１１（ｃ）に示すように、光源ユニット３０は、一方向に延伸した形状を有する光源基板３１およびレンズ３３を備えており、レンズ３３が光源ユニット支持部２０との間に光源基板３１を挟んだ状態で光源ユニット支持部２０に装着されることにより光源ユニット支持部２０に保持されている。
【００８６】
図１２はレンズ３３の斜視図である。また、図１３は、レンズ３３の構成を示す説明図であり、上面図（天井側から見た図）、正面図（光出射面側（本体シャーシ２ａの外縁側）から見た図）、底面図（床側から見た図）、側面図（レンズ３３の延伸方向から見た図）、上記正面図に示したＧ−Ｇ断面、Ｈ−Ｈ断面、Ｉ−Ｉ断面、およびＪ−Ｊ断面の断面図、上記Ｇ−Ｇ断面の断面図に示したＫ部およびＬ部の拡大図を含んでいる。
【００８７】
これら各図に示すように、レンズ３３は、光源ユニット支持部２０における２つの貫通穴２３・２３に対応する位置に設けられた２つの係止部５４・５４と、天井側面における本体シャーシ２ａの貫通穴２ｄ・２ｄに対応する位置に設けられた係止部５８・５８と、光源基板３１との対向面における立設部２１の貫通穴２４・２４に対応する位置に設けられた突部５９・５９とを備えている。また、光源基板３１における貫通穴２４・２４に対応する位置には貫通穴６０・６０が設けられている。係止部５４・５４は、レンズ３３が有する本発明の導光部である。
【００８８】
各係止部５４は、レンズ３３の本体シャーシ２ａと反対側の面である反射面３３ｄに、当該反射面３３ｄの延伸方向に沿って部分的に設けられている。具体的には、レンズ３３の本体から床側に突出するように形成された付根部５１と、付根部５１から光源ユニット支持部２０側に突出するように形成された延伸部５２と、延伸部５２の先端から天井側に突出するように形成された爪部５３とを備えている。
【００８９】
各係止部（導光部、係止部材）５８は、レンズ３３の本体から天井側に突出するように形成された付根部５５と、付根部５５における光源基板３１側の端部から光源基板３１とは反対側に延伸するように形成された板状の延伸部５６と、延伸部５６における天井側の面に形成された爪部５７とを備えている。爪部５７は、光源基板３１から遠ざかるほど天井側に傾斜した傾斜面５７ａと、傾斜面５７ａにおける光源基板３１から遠い側の端部と延伸部５６との間に傾斜面５７ａに対して鋭角を成すように形成された係止面５７ｂとを備えている。
【００９０】
各突部５９は、各係止部５４の付根部５１から光源基板３１側に突出するように形成されている。
【００９１】
レンズ３３を光源ユニット支持部２０に装着するときには、図１１（ｃ）に示すように、まずレンズ３３の床側面に設けられた係止部５４・５４の爪部５３・５３を光源ユニット支持部２０の貫通穴２３・２３に挿入して立設部２１に引っ掛け、突部５９・５９を光源基板３１の貫通穴６０・６０および光源ユニット支持部２０の貫通穴２４・２４に挿入するように爪部５３・５３と立設部２１との当接部を支点として矢印γ方向に回転させる。これにより、突部５９・５９が光源基板３１の貫通穴６０・６０および光源ユニット支持部２０の貫通穴２４・２４に挿入され、レンズ３３の天井側面に設けられた係止部５８・５８の延伸部５６・５６が上下方向に撓んだ状態で係止部５８・５８の係止面５７ｂ・５７ｂが本体シャーシ２ａの貫通穴２ｄ・２ｄに引っ掛けられてレンズ３３および光源基板３１が光源ユニット支持部２０に支持される。なお、光源基板３１は、係止部５４の付根部５１および係止部５８の付根部５５によって光源ユニット支持部２０に押し付けられた状態で保持される。
【００９２】
このように、レンズ３３の一部を撓ませてレンズ３３を光源ユニット支持部２０および本体シャーシ２ａに取り付けることにより、光源ユニット支持部２０や本体シャーシ２ａを変形させることなくレンズ３３を容易に着脱することができる。すなわち、光源ユニット支持部２０や本体シャーシ２ａを変形させてレンズ３３を着脱する構成の場合には、光源ユニット支持部２０や本体シャーシ２ａの塑性変形が生じないようにレンズ３３の着脱時に専用の治具等を用いる必要があるが、レンズ３３の一部を撓ませて着脱する構成にすることにより、専用の治具等を用いることなく、また光源ユニット支持部２０や本体シャーシ２ａの塑性変形を生じさせることなくレンズ３３を容易に着脱することができる。
【００９３】
また、本実施形態では、各突部５９における天井側の面５９ａは光源ユニット３０を立設部２１に装着したときに立設部２１の表面に対して略垂直になるように形成されている。また、突部５９における天井側の面５９ｂは、レンズ３３の本体側は面５９ａに略平行な平行部と、平行部と連続して設けられた突部５９の先端へ向かうほど面５９ａ側に傾斜した傾斜部とを備えている。また、光源ユニット支持部２０の貫通穴２４・２４における上下方向（床側から天井側に向かう方向）の幅は突部５９・５９の上記平行部における面５９ａと面５９ｂとの間の幅よりも十分に広くなっている。これにより、レンズ３３を光源ユニット支持部２０に装着する際に突部５９・５９を貫通穴２４・２４に容易に挿入できるようになっている。
【００９４】
また、光源ユニット支持部２０の貫通穴２４・２４における床側のエッジ位置は、レンズ３３を装着したときに突部５９・５９の面５９ａが当接する位置に設定されている。これにより、突部５９・５９を光源基板３１の貫通穴６０・６０および光源ユニット支持部２０の貫通穴２４・２４に容易に挿入でき、かつ光源ユニット支持部２０に対するレンズ３３の上下方向の位置を適切に規定できるようになっている。
【００９５】
また、光源基板３１の貫通穴６０・６０の上下方向の幅は、突部５９・５９の平行部における面５９ａと面５９ｂとの間の幅と略同様（面５９ａと面５９ｂとの間の幅よりも貫通穴６０・６０の上下方向の幅の方が突部５９を挿入可能な程度にわずかに広い）になっている。これにより、レンズ３３を光源ユニット支持部２０に装着する際、突部５９・５９の先端を貫通穴６０・６０に挿入してレンズ３３を図１１（ｃ）に示した矢印γの方向に回動させることにより、光源基板３１を突部５９・５９ですくい上げるように持ち上げるとともに、レンズ３３と光源基板３１との上下方向の相対位置を規定の位置に保てるようになっている。
【００９６】
また、光源基板３１の貫通穴６０・６０のうちの一方における光源基板３１の延伸方向の幅は、当該貫通穴６０に対応する突部５９の同方向の幅と略同様（貫通穴６０における光源基板３１の延伸方向の幅の方が突部５９における同方向の幅よりも突部５９を挿入可能な程度にわずかに広い）になっている。また、光源基板３１の貫通穴６０・６０のうちの一方における光源基板３１の延伸方向の幅は、当該貫通穴６０に対応する突部５９の同方向の幅よりも十分に広くなっている。これにより、光源基板３１の長手方向についての光源基板３１とレンズ３３との相対位置を上記貫通穴６０・６０のうちの一方に対応する位置で規定するとともに、当該位置を基準として光源基板３１とレンズ３３とが相対的に移動できるようにすることができる。したがって、光源基板３１とレンズ３３との間に熱膨張率の差が生じた場合であっても、これら各部材の破損や熱膨張率の差に起因する音鳴りが生じることを防止できる。
【００９７】
また、レンズ３３を光源ユニット支持部２０に支持させた状態では、係止部５８・５８には、爪部５７・５７を天井方向および光源ユニット支持部２０から遠ざかる方向に付勢する弾性力が作用する。すなわち、爪部５７・５７が本体シャーシ２ａの貫通穴２ｄ・２ｄから抜けることを防止する方向、および爪部５７・５７の係止面５７ｂ・５７ｂを貫通穴２ｄ・２ｄにおける光源ユニット支持部２０から遠い側のエッジに押し付ける方向の力が作用する。これにより、レンズ３３を光源ユニット支持部２０と本体シャーシ２ａとにより安定して保持できるようになっている。
【００９８】
また、本実施形態では、レンズ３３における床側の面に設けられた係止部５４同士の間隔を、レンズ３３における天井側の面に設けられた係止部５８同士の間隔よりも狭くしている。これにより、レンズ３３が長手方向に沿って撓むことを防止している。
【００９９】
また、本実施形態では、レンズ３３における床側の面に係止部５４・５４を設けることにより、レンズ３３に入射した光の一部をこれら係止部５４・５４から床側に出射させ、反射部８ａを介して副照明領域に導いている。すなわち、係止部５４・５４は、レンズ３３に入射した光を副照明領域へ導くための導光部としての機能を有している。これにより、副照明領域を適切に照明することができる。
【０１００】
なお、係止部５４・５４に代えて、あるいは係止部５４・５４に加えて、レンズ３３に入射した光の一部を副照明領域へ導くための他の導光部を備えてもよい。
【０１０１】
なお、上記の導光部は、当該導光部からの出射光が反射部８ａを介して副照明領域に出射される構成であってもよく、当該導光部から副照明領域に直接出射される構成であってもよい。すなわち、上記の導光部は、レンズ３３に入射した光を、光源ユニット支持部２０をかわして副照明領域に直接または間接的に入射させることのできる構成であればよい。ただし、副照明領域に入射した光がセンターカバー１０の円板部１０ｂに直接入射するのではなく、電源カバー５またはアダプタカバー７で反射されてセンターカバー１０の円板部１０ｂに入射する構成にすることが好ましい。これにより、センターカバー１０の円板部１０ｂをより均一に近い輝度で発光させることができる。
【０１０２】
また、本実施形態では、レンズ３３の床側の面における延伸方向の一部の領域にのみ上記の導光部（係止部５４・５４）を設けている。これにより、レンズ３３の延伸方向の全域に上記の導光部を設ける場合に比べて、副照明領域へ導かれる光が過剰になって主照明領域に出射される光の光量が低下することを抑制し、主照明領域が暗くなることを防止できる。すなわち、主照明領域を明るく照明しつつ、副照明領域も照明することができる。
【０１０３】
また、本実施形態では、光源ユニット３０を本体シャーシ２ａ（より詳細には本体シャーシ２ａと一体的に形成された光源ユニット支持部２０）に取り付けているが、これに限らず、本体シャーシ２ａとは異なる部材に取り付けられていてもよい。
【０１０４】
（１−４．光源基板３１の構成）
図１４（ａ）は光源基板３１の平面図であり、図１５（ａ）は光源基板３１の配線図であり、図１６は各光源基板３１の接続状態を示す説明図である。なお、本実施形態では、本発明を一般家庭で用いられる８畳〜１０畳用のシーリングライトに適用する場合について主に説明する。また、図１６では、説明の便器上、６枚の光源基板３１を光源基板３１Ａ〜３１Ｆとして示している。
【０１０５】
図１４（ａ）に示すように、光源基板３１は、光源３２（光源Ｗ１〜Ｗ５，Ｃ１〜Ｃ４，Ｒ１〜Ｒ３，Ｎ１）と、電気抵抗Ｒと、接続端子（接続端子ＷＷ−，ＷＷ＋，ＣＷ−，ＣＷ＋，Ｒｅｄ−，Ｒｅｄ＋，２つのＮｉｇｈｔ−，および２つのＮｉｇｈｔ＋）とを備えている。光源Ｗ１〜Ｗ４は電球色の光源であり、Ｃ１〜Ｃ４は昼白色の光源であり、光源Ｒ１〜Ｒ３は赤色の光源である。また、光源Ｎ１は常夜灯として用いられる電球色の光源である。なお、図１６に示すように、常夜灯用の光源Ｎ１は６枚の光源基板３１のうちの２枚（光源基板３１Ａおよび光源基板３１Ｄ）にのみ備えられている。光源基板３１Ａと光源基板３１Ｄとは、六角形状に配置された光源ユニット支持部２０に装着されたときに上記六角形の対向する辺に配置されるようになっている。各光源Ｎ１から出射された光は、当該各光源Ｎ１に対向配置されたレンズ３３を介して主照明領域に出射され、リングカバー９に扇型の発光領域を形成する。また、これら各光源Ｎ１から出射されてレンズ３３から床側に出射された光は反射部８ａおよび透過部８ｂを介して副照明領域に導かれ、センターカバー１０の円板部１０ｂを発光させる。また、各光源基板同士の間隔は、図１６に示したように１８．４ｍｍに設定されている。
【０１０６】
また、図１５（ａ）に示すように、光源Ｃ１〜Ｃ４は接続端子ＣＷ−と接続端子ＣＷ＋との間に直列に接続されており、Ｗ１〜Ｗ５は接続端子ＷＷ−と接続端子ＷＷ＋との間に直列に接続されており、Ｒ１〜Ｒ３はＲｅｄ−とＲｅｄ＋との間に直列に接続されている。
【０１０７】
また、光源Ｎ１のプラス端子側は電気抵抗Ｒの一端側に接続され、電気抵抗Ｒの他端側は各Ｎｉｇｈｔ＋端子に接続されている。また、光源Ｎ１のマイナス端子側は各Ｎｉｇｈｔ−端子に接続されている。なお、上述したように、光源Ｎ１は光源基板３１Ａ，３１Ｄのみ備えられている。光源Ｎ１を備えない光源基板３１Ｂ，３１Ｃ，３１Ｅ，３１Ｆでは、電気抵抗Ｒと各Ｎｉｇｈｔ−端子との間は遮断されている。したがって、光源基板３１Ｂ，３１Ｃ，３１Ｅ，３１Ｆでは、Ｎｉｇｈｔ−端子同士が接続され、Ｎｉｇｈｔ＋同士が接続された状態になっている。
【０１０８】
また、図１６に示すように、光源基板３１Ａの接続端子ＷＷ＋，ＣＷ−，Ｒｅｄ−、２つの接続端子Ｎｉｇｈｔ−の一方、および２つの接続端子Ｎｉｇｈｔ＋の一方は、電源コネクタ３４ａに接続されており、この電源コネクタ３４ａを介して電源ユニット４に接続されている。
【０１０９】
また、光源基板３１Ａ〜３１Ｅにおける接続端子ＷＷ−，ＣＷ＋，Ｒｅｄ＋は、次段に配置された光源基板３１Ｂ〜３１Ｆにおける接続端子ＷＷ−，ＣＷ−，Ｒｅｄ−に接続されている。また、光源基板３１Ｆにおける接続端子ＷＷ−，ＣＷ＋，Ｒｅｄ＋は、電源コネクタ３４ｂに接続されており、この電源コネクタ３４ａを介して電源ユニット４に接続されている。すなわち、それぞれの光源基板３１Ａ〜３１Ｆに備えられた昼白色の光源Ｗ１〜Ｗ５、電球色の光源Ｃ１〜Ｃ４、および赤色の光源Ｒ１〜Ｒ３は、電源コネクタ３４ａと電源コネクタ３４ｂとの間で、それぞれの色ごとに直列に接続されている。
【０１１０】
また、光源基板３１Ａ〜３１Ｃにおける２つの接続端子Ｎｉｇｈｔ＋のうちの他方、および２つの接続端子Ｎｉｇｈｔ−のうちの他方は、次段に配置された光源基板３１Ｂ〜３１Ｄにおける２つの接続端子Ｎｉｇｈｔ＋のうちの一方、および２つの接続端子Ｎｉｇｈｔ−のうちの一方に接続されている。これにより、光源基板３１Ａに備えられた光源Ｎ１（光源Ｎ１と電気抵抗Ｒとの直列回路）と光源基板３１Ｄに備えられた光源Ｎ１（光源Ｎ１と電気抵抗Ｒとの直列回路）とは、電源コネクタ３４ａにおける接続端子Ｎｉｇｈｔ＋と接続端子Ｎｉｇｈｔ−との間に並列に接続されている。なお、各光源Ｎ１には、電源ユニット４に備えられるマイコン（図示せず）の駆動電圧と同じ５Ｖの電圧が印加されるようになっている。
【０１１１】
電源コネクタ３４ａは、接続端子数が５個以上のコネクタであれば特に限定されるものではなく、従来から公知のコネクタを用いることができる。本実施形態では、接続端子数が８個のコネクタ（日本圧着端子製造株式会社製の８ＰＩＮコネクタ、型番ＸＡＰ−０８Ｖ−１）を用いた。また、電源コネクタ３４ｂは、接続端子数が３個以上のコネクタであれば特に限定されるものではなく、従来から公知のコネクタを用いることができる。本実施形態では、接続端子数が４個のコネクタ（日本圧着端子製造株式会社製の４ＰＩＮコネクタ、型番：ＸＡＰ−０４Ｖ−１）を用いた。電源コネクタ３４ａおよび電源コネクタ３４ｂとして互いに異なるコネクタを用いることにより、各光源基板３１の取り付け方向および取り付け位置の間違いを防止することができる。
【０１１２】
本実施形態では、上記各色の光源の発光状態を制御することにより、リングカバー９を白色、電球色、桜色（オレンジピンク色）、およびこれらの中間色に発光させることができるようになっている。
【０１１３】
なお、本実施形態では、本発明を一般家庭で用いられる８畳〜１０畳用のシーリングライトに適用する場合を想定しており、ＬＥＤの個数を、昼白色５個、電球色４個、赤色３個、常夜灯用の電球色１個（光源基板３１Ａ，３１Ｄのみ）の合計１３個（光源基板３１Ｂ，３１Ｃ，３１Ｅ，３１Ｆは常夜灯用のＬＥＤを備えていないので合計１２個）としているが、ＬＥＤの個数はこれに限るものではない。また、各ＬＥＤの配置位置や各ＬＥＤの出射光の色についても上述した構成に限るものではなく、照明装置１の各部のサイズや形状、要求される光学特性等に応じて適宜変更してもよい。
【０１１４】
図１４（ｂ）および図１５（ｂ）は、本発明を１２畳用のシーリングライトに適用する場合の光源基板３１の平面図および配線図の一例である。これら各図に示す例では、光源基板３１は、昼白色のＬＥＤを６個、電球色のＬＥＤを５個、赤色のＬＥＤを３個、常夜灯用の電球色を１個（光源基板３１Ａ，３１Ｄのみ）の合計１５個（光源基板３１Ｂ，３１Ｃ，３１Ｅ，３１Ｆは常夜灯用のＬＥＤを備えていないので合計１４個）としている。なお、図１４（ａ）および図１５（ａ）の場合と同様、それぞれの光源基板３１Ａ〜３１Ｆに備えられた昼白色のＬＥＤ、電球色のＬＥＤ、および赤色のＬＥＤは、電源コネクタ３４ａと電源コネクタ３４ｂとの間で、それぞれの色ごとに直列に接続され、光源基板３１Ａに備えられた常夜灯用のＬＥＤと光源基板３１Ｄに備えられた常夜灯用のＬＥＤとは、電源コネクタ３４ａにおける接続端子Ｎｉｇｈｔ＋と接続端子Ｎｉｇｈｔ−との間に並列に接続される。
【０１１５】
図１４（ｃ）および図１５（ｃ）は、本発明を６畳用のシーリングライトに適用する場合の光源基板３１の平面図および配線図の一例である。これら各図に示す例では、光源基板３１は、昼白色のＬＥＤを４個、電球色のＬＥＤを３個、赤色のＬＥＤを２個、常夜灯用の電球色を１個（光源基板３１Ａ，３１Ｄのみ）の合計１０個（光源基板３１Ｂ，３１Ｃ，３１Ｅ，３１Ｆは常夜灯用のＬＥＤを備えていないので合計９個）としている。なお、図１４（ａ）および図１５（ａ）の場合と同様、それぞれの光源基板３１Ａ〜３１Ｆに備えられた昼白色のＬＥＤ、電球色のＬＥＤ、および赤色のＬＥＤは、電源コネクタ３４ａと電源コネクタ３４ｂとの間で、それぞれの色ごとに直列に接続され、光源基板３１Ａに備えられた常夜灯用のＬＥＤと光源基板３１Ｄに備えられた常夜灯用のＬＥＤとは、電源コネクタ３４ａにおける接続端子Ｎｉｇｈｔ＋と接続端子Ｎｉｇｈｔ−との間に並列に接続される。
【０１１６】
また、本実施形態では、常夜灯用の光源Ｎ１を互いに対向する位置に配置された光源基板３１Ａと光源基板３１Ｄとに備えているが、常夜灯用の光源Ｎ１の設置個数および設置位置はこれに限るものではない。例えば、６個の光源基板３１のうちの３つに常夜灯用の光源Ｎ１を配置してもよく、６個の光源基板３１の全てに常夜灯用の光源を配置してもよい。また、常夜灯用の光源Ｎ１の色は電球色に限るものではなく、他の色であってもよい。
【０１１７】
図１７（ａ）は主照明用の光源の構成を示す説明図であり、図１７（ｂ）は常夜灯用の光源の構成を示す説明図である。なお、主照明用の各光源（昼白色、電球色、赤色）は、蛍光体の色が異なる以外は同様の構成である。
【０１１８】
図１７（ａ）に示すように、主照明用の光源としては、複数のＬＥＤ素子３６を備えたチップ３５と、それら各ＬＥＤ素子３６を覆う蛍光体３７と、各ＬＥＤ素子３６および蛍光体３７を覆う半球ドーム状の透明樹脂３８とを備えたマルチチップのドーム型光源を用いている。なお、蛍光体３７は、当該蛍光体３７が備えられる光源の発光色に応じた蛍光特性を有している。
【０１１９】
図１７（ｂ）に示すように、常夜灯用の光源としては、ＬＥＤ素子を１つのみ備えたチップ３９ａを出射光の色が電球色と視認される蛍光特性を有する蛍光体３９ｂで封止したシングルチップの表面実装型光源を用いている。
【０１２０】
なお、表面実装型光源は、図１７（ｂ）に示したように、ＬＥＤ素子を１つのみ備えたシングルチップ型の光源の場合には、マルチチップ型の場合のように複数のＬＥＤ素子からの出射光が混ざり合うことがないので、出射光の光軸方向に対する傾斜角度に応じた分光特性が視認されやすい。具体的には、出射光の光軸方向に対する傾斜角度が比較的狭い角度範囲では白色に近い色味になり、出射光の光軸方向に対する傾斜角度が大きい角度範囲では黄色に近い色味になる。
【０１２１】
（１−５．レンズ３３の光学特性）
レンズ３３は、図１２および図１３に示したように、光源３２に対向配置される光入射面３３ａ〜３３ｃと、光入射面３３ａ〜３３ｃからレンズ３３内に入射した光の大部分を全反射する全反射面としての反射面（光反射面）３３ｄ，３３ｅと、光出射面（主出射面）３３ｆ〜３３ｈとを備えている。
【０１２２】
光入射面３３ａ〜３３ｃは、光源３２側に凸となる曲面形状を有している。なお、本実施形態では、光源３２（光源Ｗ１〜Ｗ５、Ｃ１〜Ｃ４、Ｒ１〜Ｒ３、Ｎ１）を、光入射面３３ｂにおけるレンズ３３の幅方向（天井面に垂直な方向）の略中心部に対向する位置に配置している。
【０１２３】
反射面（全反射面）３３ｄ，３３ｅは、レンズ３３の外側に向かって凸となる曲面形状を有している。なお、反射面（第２反射面）３３ｄと反射面（第１反射面）３３ｅとは、光源基板３１の基板面に垂直な直線に対して非対称な形状を有している。具体的には、反射面３３ｄと反射面３３ｅとは、これら両反射面がなす曲面の接線と基板面に垂直な直線とのなす角度が、反射面３３ｄの方が反射面３３ｅよりも小さくなっている。
【０１２４】
光出射面３３ｆ，３３ｈはレンズ３３の内側に凹となる曲面形状を有しており、光出射面３３ｇはレンズ３３の外側に凸となる曲面形状を有している。また、光出射面３３ｆと光出射面３３ｇとの接続部、および光出射面３３ｇと光出射面３３ｈとの接続部は曲率が連続的に変化した滑らかな曲面になっている。
【０１２５】
また、図１３に示すように、レンズ３３の延伸方向の両端面は、光入射面側から光出射面側へ向かうほどレンズ３３の延伸方向の幅が広くなる平面形状になっている。これにより、各レンズ３３を光源ユニット支持部２０に取り付けたときに、図９（ａ）に示したように、隣接するレンズ３３の端面同士が略平行に配置されるようになっている。なお、この構成では、隣接するレンズ３３の端面同士の対向領域近傍にそれら両レンズ３３における延伸方向の端部から出射される光が平行に重なり合うことによる輝線が生じる場合があるが、本実施形態では、後述するように、反射部８ａに上記の輝線が生じる領域を覆う笠部８ｃを設けることにより、上記の輝線が照明装置１の外部から視認されることを防止している。
【０１２６】
また、図１２および図１３に示したように、レンズ３３の光入射面３３ａ〜３３ｃのうち常夜灯用の光源Ｎ１との対向領域を除く領域には、レンズ３３の延伸方向に垂直な方向に沿って帯状に設けられた多数の凹部３３ｉおよび凸部３３ｊからなる凹凸部が設けられている。凹部３３ｉは曲率半径１ｍｍでレンズ３３の内側に窪んだ滑らかな曲面からなり、凸部３３ｊは曲率半径０．５ｍｍで光源基板３１側に突出した滑らかな曲面からなる。凹部３３ｉと凸部３３ｊとは連続して交互に配置されている。
【０１２７】
また、レンズ３３の光入射面３３ａ〜３３ｃのうち常夜灯用の光源Ｎ１との対向領域には、レンズ３３の延伸方向に沿って光源基板３１側に円弧状に突出した光入射部３３ｋが設けられている。
【０１２８】
上記の構成により、主照明用の光源（Ｗ１〜Ｗ５，Ｃ１〜Ｃ４，Ｒ１〜Ｒ３）から光入射面３３ａに入射した光は光入射面３３ａで屈折されて反射面３３ｄに入射し、反射面３３ｄで反射（全反射）されて光出射面３３ｆに入射する。また、主照明用の光源から光入射面３３ｂに入射した光は光入射面３３ｂで屈折されて光出射面３３ｇに入射する。また、主照明用の光源から光入射面３３ｃに入射した光は光入射面３３ｃで屈折されて反射面３３ｅに入射し、反射面３３ｅで反射（全反射）されて光出射面３３ｈに入射する。そして、光出射面３３ｆ〜３３ｈに入射したこれらの光は、図５に示したように、各光出射面で屈折されてレンズ３３から反射シート３へ向けて出射され、反射シート３で反射されてリングカバー９に入射する。これにより、リングカバー９の略全域に略均一な照度分布を形成できるようになっている。
【０１２９】
また、主照明用の光源からレンズ３３に入射して反射面３３ｄに到達した光は、主に反射面３３ｄで反射して光出射面３３ｆから出射されるが、反射面３３ｄに到達した光の一部は反射面３３ｄからレンズ３３の外部（床側）へ出射される。特に、反射面３３ｄにおける係止部５４が設けられている領域では、この係止部５４がレンズ３３内を伝搬する光をレンズ３３の外部（床側）へ出射させる導光体として機能し、レンズ３３内を伝搬する光がレンズ３３の外部（床側）へ出射される。
【０１３０】
具体的には、反射面３３ｄはレンズ３３に入射して当該反射面３３ｄに到達した光を光出射面３３ｆに向けて全反射する形状に形成されているが、光反射面３３ｄの一部に突設された係止部５４は反射面３３ｄからレンズ３３の外側（床側）へ突出するように形成された付根部５１、付根部５１から光源ユニット支持部２０側に突出するように形成された延伸部５２と、および延伸部５２の先端から天井側（本体シャーシ２ａ側）に突出するように形成された爪部５３とを備えており、レンズ３３に入射して当該係止部５４内で付根部５１または延伸部５２で全反射した後に、爪部５３や係止部５４の照明装置１の中央部側の面等から出射される。このように、レンズ３３に入射して係止部５４に到達した光の一部は係止部５４からレンズ３３の外部（床側）に出射される。
【０１３１】
そして、上記のようにレンズ３３から床側へ出射された光は、図５に示したように、防塵カバー８の反射部８ａで照明装置１の中央部側へ向けて反射・拡散され、透過部８ｂを介して各光源ユニット支持部２０よりも内側の領域に入射する。そして、各光源ユニット支持部２０よりも内側の領域に入射した光は、電源カバー５およびアダプタカバー７で反射・拡散され、センターカバー１０の円板部１０ｂを介して照明装置１の外部に出射される。
【０１３２】
なお、レンズ３３における光入射面３３ａ〜３３ｃのうち主照明用の光源との対向領域には、レンズ３３の延伸方向に垂直な方向に沿って帯状に設けられた多数の凹部３３ｉおよび凸部３３ｊが設けられている。これにより、主照明用の各色の光源から出射されて光入射面３３ａ〜３３ｃに入射する光を凹部３３ｉおよび凸部３３ｊでレンズ３３の延伸方向に平行な方向に拡散させ、効率的に混ぜ合わせることができるので、各光源間の距離が離れていることに起因する色むらが生じることを防止できる。
【０１３３】
また、凹部３３ｉおよび凸部３３ｊは、少なくとも入射面３３ａにおける係止部５４のレンズ３３の延伸方向の位置に対応する位置（入射面３３ａにおける係止部５４に対してレンズ３３の延伸方向に垂直な方向に対向する位置）に設けられている。
【０１３４】
仮に、凹部３３ｉおよび凸部３３ｊが入射面３３ａにおける係止部５４のレンズ３３の延伸方向の位置に対応する位置に設けられていない場合、係止部５４はレンズ３３に延伸方向に沿って部分的に（具体的には、反射面３３ｄの延伸方向の一部にのみ）設けられているため、係止部５４に導光される光は係止部５４に対応する位置（入射面３３ａにおける係止部５４に対してレンズ３３の延伸方向に垂直な方向に対向する位置に対向する位置）に設けられた一部のＬＥＤからの光がほとんどになる。このため、光色が異なる複数のＬＥＤを発光させて混色させることで所望の色の照明光を照射する場合、係止部５４に導光される上記複数のＬＥＤからの光が十分混色されず、センターカバー１０がなす発光面とリングカバー９がなす発光面の色が異なってしまう恐れがある。
【０１３５】
これに対して、本実施形態では、係止部５４に対向する位置に設けられた凹部３３ｉおよび凸部３３ｊにより、係止部５４が上記のように部分的にしか設けられていない場合であっても、複数の光色の異なるＬＥＤからの光を係止部５４に導光し、それらの光を混色させて副照明領域側へ出射させることができるので、センターカバー１０側とリングカバー９側との間の発光面の色の違いを低減することができる。
【０１３６】
また、常夜灯用の光源（光源Ｎ１）から光入射部３３ｋに入射した光は、主照明用の光源から出射された光と同様、主に、光出射面３３ｆ〜３３ｈから反射シート３に向けて出射される。これにより、各光源Ｎ１から出射された光により、リングカバー９に扇型の発光領域が形成される。
【０１３７】
なお、本実施形態では、光入射面３３ａ〜３３ｃのうち常夜灯用の光源Ｎ１との対向部には凹部３３ｉおよび凸部３３ｊを設けていない。このため、各光源Ｎ１から光入射面３３ａ〜３３ｃに入射された光はレンズ３３の長手方向に拡散されずに主照明領域に出射される。したがって、光源Ｎ１から出射された光の利用効率を低下させることなく主照明領域を照明することができる。
【０１３８】
また、上述したように、本実施形態では、常夜灯用の光源（副光源）Ｎ１としてシングルチップの表面実装型光源を用いているので、出射光の光軸方向に対する傾斜角度に応じた分光が生じやすいが、光入射面３３ａ〜３３ｃのうち常夜灯用の光源Ｎ１との対向部には凹部３３ｉおよび凸部３３ｊを設けない構成とすることで、常夜灯用の光源Ｎ１からの出射光の分光が強調され、色むらとして視認されることを防止できる。
【０１３９】
（１−６．防塵カバー８の構成）
図１８（ａ）は防塵カバー８の天井側の面を示す分解斜視図であり、図１８（ｂ）は防塵カバー８の床側の面を示す分解斜視図である。図１９は防塵カバー８を取り付ける前の照明装置１の状態を示す平面図であり、図２０は防塵カバー８を取り付けた後の照明装置１の状態を示す斜視図であり、図２１は防塵カバー８を取り付けた後の照明装置１の状態を示す断面図であり、図２２は防塵カバー８を取り付けた後の照明装置１の状態を示す平面図である。
【０１４０】
これらの図に示すように、防塵カバー８は、円環状の反射部８ａおよび円環状の透過部８ｂを備えている。また、反射部８ａの内縁部には周方向に沿って４箇所に溝部８ｇが設けられており、透過部８ｂにおける反射部８ａの各溝部８ｇに対向する位置には溝部８ｇに応じた形状を有する爪部８ｆが設けられている。これにより、各爪部８ｆを対応する溝部８ｇに係合させることで反射部８ａと透過部８ｂとが隙間なく密着して一体化されるようになっている。なお、透過部８ｂの反射部８ａに対する取り付け方法は特に限定されるものではなく、例えば、接着や溶着により取り付けてもよく、ネジ等を用いて取り付けてもよい。また、反射部８ａと透過部８ｂとは一体的に形成されるものであってもよい。
【０１４１】
反射部８ａは、光反射性を有する材質からなる略円環状の部材であり、六角形状に配置された各光源ユニット支持部２０および各光源ユニット３０を覆うように各光源ユニット支持部２０および各光源ユニット３０に対して床側に対向するように配置されている。反射部８ａの材質は、光反射性を有するものであれば特に限定されるものではないが、本実施形態では白色のポリカーボネート樹脂を用いている。これにより、レンズ３３の係止部５４・５４から出射された光は反射部８ａで反射して拡散され、さらに電源カバー５またはアダプタカバー７で反射されてセンターカバー１０側に出射される。その結果、センターカバー１０の円板部１０ｂから出射される光は均一化され、照明装置１の外部から係止部５４・５４の形状に起因する輝度ムラ等が低減されるようになっている。
【０１４２】
また、反射部８ａの床側には、リングカバー９の内縁側端部、センターカバー１０の円板部１０ｂの外縁側端部、およびこれら両端部を覆うように配置されたセンターカバー１０の遮光部１０ａが反射部８ａに対向するように配置されている。また、反射部８ａの外縁側端部はリングカバー９の一部に当接しており、内縁側端部はセンターカバー１０の円板部１０ｂの一部に当接している。
【０１４３】
また、反射部８ａにおけるレンズ３３の光出射面側の端部に対向する位置から電源カバー５の一部に対向する位置までの領域には、床側に滑らかに窪んだ湾曲面からなる反射面８ｈが形成されている。これにより、レンズ３３から床側に出射された光は反射面８ｈで反射されて電源カバー５およびアダプタカバー７が配置されている側の領域へと導かれる。
【０１４４】
また、反射部８ａにおける、隣接するレンズ３３同士の対向領域に対向する位置には、それら両レンズ３３の端部、両レンズ３３の対向領域、および当該対向領域に対して照明装置１の外縁側に隣接する領域を覆うように、照明装置１の外縁側に突出した笠部８ｃが設けられている。笠部８ｃにおけるレンズ３３側の面は、床側に窪んだ湾曲面からなる反射面になっている。これにより、レンズ３３における延伸方向の端部から出射される光（エッジ光）を遮光し、当該エッジ光がリングカバー９を介して照明装置１の外部に出射することにより輝線として視認されてしまうことを防止している。また、レンズ３３から出射されたエッジ光を笠部８ｃの反射面によって電源カバー５およびアダプタカバー７が配置されている側の領域へと導くことにより、センターカバー１０の円板部１０ｂを照明するための照明光として利用できるようになっている。本実施形態では笠部８ｃによってエッジ光を防止しているが、レンズ３３におけるエッジ光が発生する部位に光を拡散する構造を設けること（例えばレンズ表面を荒らすことや、光拡散性のあるフィルムを貼ること）などによっても、エッジ光が輝線として視認されることを防止できる。
【０１４５】
なお、笠部８ｃに天井側の面から床側の面に貫通する小さい穴を複数設けたり、笠部８ｃを天井側の面に入射した光の一部が床側の面に透過し、残りが副照明領域へ向けて反射される半透過性を有する材質で形成してもよい。これにより、リングカバー９における笠部８ｃに対応する位置に暗部が生じたり笠部８ｃの影が視認されたりすることを防止できる。
【０１４６】
また、反射部８ａにおける６個の笠部８ｃのうち、センサユニット４０が配置されている位置に対応する笠部８ｃを除く５個の笠部８ｃの内縁側の領域には、天井側へ突出した支柱部８ｄが設けられている。
【０１４７】
また、上記の各支柱部８ｄのうち反射部８ａが成す円環形状の直径方向に対向する２つの支柱部８ｄの内縁側には天井側に突出しており、先端部が反射部８ａが成す円環形状の内側へ曲がった爪部８ｅが設けられている。また、電源カバー５における各爪部８ｅに対応する位置には、図１９に示すように穴部６１がそれぞれ設けられており、各穴部６１に各爪部８ｅを係合させることにより、防塵カバー８が電源カバー５に取り付けられるようになっている。また、各爪部８ｅを各穴部６１に取り付けることにより、各支柱部８ｄが電源カバー５に当接し、防塵カバー８が天井面に垂直な方向の位置が規定された状態で安定して保持されるようになっている。
【０１４８】
透過部８ｂは、光透過性を有する材質からなる円環状の部材であり、より具体的には、上面から底面にかけて貫通した円筒状をなす。透過部８ｂは、上述したように反射部８ａの周囲に沿って隙間なく密着して取り付けられる。また、透過部８ｂにおける電源カバー５との当接面は電源カバー５における透過部８ｂとの対向部に応じた形状になっており、透過部８ｂは電源カバー５との間に隙間なく密着するようになっている。
【０１４９】
このように、透過部８ｂは、反射部８ａおよび電源カバー５に対して隙間なく密着するように設けられている。このように、光源ユニット３０およびリングカバー９側の空間と電源カバー５およびセンターカバー１０側の空間とを区画してこれら両空間の間を塞ぐことにより、透過部８ｂと電源カバー５との間、および透過部８ｂと反射部８ａとの間から光源ユニット３０が備えられている領域に埃や虫などが入ることを防止できる。なお、透過部８ｂは、光源ユニット３０およびリングカバー９側の空間と電源カバー５およびセンターカバー１０側の空間との間を、少なくとも虫が通過できない程度に塞ぐ構成であればよく、必ずしも上記両空間の間を厳密に気密するものでなくてもよい。透過部８ｂの材質は光透過性を有するものであれば特に限定されるものではないが、本実施形態では透明のポリカーボネート樹脂を用いている。
【０１５０】
（１−７．反射シート３の構成および取付方法）
以下、反射シート３の構成および取付方法について図２３〜図２５に基づいて説明する。
【０１５１】
図２３は本体シャーシ２ａおよび反射シート３の分解斜視図であり、図２４（ａ）は本体シャーシ２ａに取り付けられた反射シート３の平面図であり、図２４（ｂ）は図２４（ａ）に示したＳ−Ｓ断面の断面図である。図２５は、取付部材としてのリベット３ｈにより、反射シート３が本体シャーシ２ａに取り付けられた状態の反射シート３、本体シャーシ２ａ、およびリベット３ｈの断面の拡大図である。
【０１５２】
図２３および図２４（ａ）に示すように、反射シート３の平面視における外形は、本体シャーシ２ａの外周部２ａ２に応じた略円形の形状を有している。反射シート３の形状は、本体シャーシ２ａの外形に応じた形状にすることで、本体シャーシ２ａのリングカバー９側の表面を全体的に覆うように取り付けることが好ましい。ただし、反射シート３は必ずしも本体シャーシ２ａの形状と同一である必要はなく、例えば円形の本体シャーシ２ａに対して多角形状の反射シート３を取り付けてもよいし、多角形状の本体シャーシ２ａに対して円形の反射シート３を取り付けてもよい。
【０１５３】
また、反射シート３は、図２４（ａ）に示すように、平面視における中央部に、部分的に切り抜かれて貫通した開口部３ａが設けられている。開口部３ａは、本体シャーシ２ａの複数の光源ユニット支持部２０によって形成される略六角形の形状および大きさに対応するように形成されており、複数の光源ユニット支持部２０が形成する六角形よりも僅かに大きい六角形状をなす。これにより、複数の光源ユニット支持部２０を、開口部３ａの周縁部３ａ１の内側に配置されるように挿通することで、反射シート３を本体シャーシ２ａの表面に取り付けることができ、反射面を形成することができる。なお、開口部３ａの形状は、周状の形状であればよく、六角形状に限らず、例えば、六角形以外の多角形、円形、楕円形、あるいはそれらを組み合わせた形状等、他の形状であってもよい。
【０１５４】
反射シート３の光源３２側の端部である開口部３ａの周縁部３ａ１における六角形の各辺およびその周囲を含む領域である内周部３ｂは、各光源ユニット支持部２０と本体シャーシ２ａとの折り曲げ部２０ａに対応する形状を有しており、折り曲げ部２０ａに沿って配置される。内周部３ｂは、レンズ３３が取り付けられる本体シャーシ２ａとレンズ３３との間で保持される。これにより、レンズ３３の反射面３３ｅから全反射せずに出射した光を反射シート３の内周部３ｂで反射して照明光として利用することが可能となる。
【０１５５】
また、反射シート３の開口部３ａの周縁部３ａ１がなす略六角形の形状の各頂点（各光源ユニット支持部２０同士の間に対応する位置）から、反射シート３の径方向に沿って、開口部３ａの中心に対して放射状に切り込まれた切込部３ｃが設けられている。
【０１５６】
切込部３ｃは、開口部３ａの周方向（反射シート３の周方向）に細隙（細い隙間）が形成されるスリット状に切り込んでもよいし、上記細隙が形成されないように単に切り込むだけであってもよい。
【０１５７】
切込部３ｃは、周縁部３ａ１（反射シート３の光源３２側の端部）から反射シート３の外周部３ｇ側に径方向に切り込まれるており、切込部３ｃの開口部３ａ側（光源３２側）の端部３ｃ１と開口部３ａとは連通している。なお、外周部３ｇは、実施形態１に係る反射シート３における光源３２の光出射方向側の端部に相当する。
【０１５８】
また、切込部３ｃにおける反射シート３の外周部３ｇ側の端部３ｃ２は、反射シート３の外周部３ｇ側の端部３ｇ１と開口部３ａの間の所定の位置まで切り込まれている。具体的には、本体シャーシ２ａの内周部２ａ１と外周部２ａ２との間の段差部２ａ３の位置まで切り込まれている。
【０１５９】
さらに、端部３ｃ２には、切込部３ｃ（切込部３ｃの隙間）における開口部３ａの周方向の幅よりも大きな径を有する丸孔が設けられている。上記丸孔は、例えばパンチにより打ち抜いて形成することができる。上記丸孔により、反射シート３が、切込部３ｃの端部３ｃ２から外周部３ｇの端部３ｇ１側に破れてしまうことを防止している。
【０１６０】
開口部３ａの周方向に沿って所定の間隔で設けられた複数の切込部３ｃにより、反射シート３における隣接する切込部３ｃ同士の間の領域を撓ませて、周縁部３ａ１が本体シャーシ２ａ側（照明装置１の光照射方向と反対側）に傾くように、本体シャーシ２ａの内周部２ａ１に対して傾斜させて取り付けることができる（図２４（ｂ）参照）。つまり、これにより、反射シート３は、外周部３ｇが光源３２からの出射光を受けるように傾けて配置される。
【０１６１】
また、周縁部３ａ１における本体シャーシ２ａの貫通穴２ｄおよびレンズ３３の係止部５８に対応する位置には、内周部３ｂを係止部５８に応じた形状に切り欠いた切欠部３ｄが設けられており、この切欠部３ｄを介して係止部５８を貫通穴２ｄに挿通して係止できるようになっている。なお、係止部５８が係止することができればよく、切欠部３ｄのような切り欠きに限らず、孔を設けるようにしてもよい。
【０１６２】
また、反射シート３における本体シャーシ２ａの切欠部２ｃに対応する位置には、切欠部２ｃに応じた形状の切欠部３ｆが設けられている。なお、切欠部３ｆの外形は、切欠部２ｃよりも小さく、切欠部３ｆの周縁が切欠部２ｃの周縁の内側に位置する形状となっている。なお、切欠部３ｆのような切り欠きに替えて孔を設けるようにしてもよい。
【０１６３】
また、内周部３ｂにおける上記の各切込部３ｃに対して開口部３ａの周方向両側の位置には、反射シート３を本体シャーシ２ａに取り付けるための取付部材としてのリベット３ｈを挿入するための挿入孔３ｅが設けられている。また、本体シャーシ２ａの各挿入孔３ｅに対応する位置には、リベット３ｈを挿入するための挿入孔２ｅが設けられている。つまり、リベット３ｈは、切込部３ｃの端部３ｃ１近傍に取り付けられる。これにより、本体シャーシ２ａ上に反射シート３を載置した状態で挿入孔３ｅおよび挿入孔２ｅにリベット３ｈを挿入して反射シート３の内周部３ｂを本体シャーシ２ａの表面に取り付けることができる。
【０１６４】
取付部材としてのリベット３ｈには、例えば頭部を押し込むことで脚部が頭部の径方向に広がる構造を有するプッシュリベット等が好適に用いられる。具体的には、プッシュリベットからなるリベット３ｈは、図２５に示すように、反射シート３の挿入孔３ｅおよび本体シャーシ２ａの挿入孔２ｅの内径よりも十分に大きな外径を有する頭部３ｈ１と、頭部３ｈ１から延伸した延伸部３ｈ２と、延伸部３ｈ２の一部に設けられた、挿入孔２ｅの内径よりもわずかに大きな外径を有し、リベット３ｈを挿入孔２ｅに挿入することにより挿入孔２ｅと当接して外径が縮小する方向に弾性変形し、挿入孔２ｅを通過したときに弾性変形が解除されて挿入孔２ｅの内径よりも大きな外径に戻る脚部３ｈ３とを備えている。なお、頭部３ｈ１の表面は、光反射性を有することが好ましい。
【０１６５】
これにより、リベット３ｈの延伸部３ｈ２および脚部３ｈ３を反射シート３の挿入孔３ｅおよび本体シャーシ２ａの挿入孔２ｅに貫挿することで脚部３ｈ３と頭部３ｈ１との間に反射シート３と本体シャーシ２ａとが狭持されて反射シート３が本体シャーシ２ａに取り付けられる。
【０１６６】
本実施形態１におけるリベット３ｈが挿入される位置は、切込部３ｃの端部３ｃ１近傍、すなわち複数の光源ユニット支持部２０が形成する六角形の各頂点近傍であるが、これに限らず上記六角形の各辺に対向する位置であってもよい。ただし、上記六角形の頂点近傍にリベット３ｈを挿入する方が、反射シート３の表面に頭部３ｈ１が突出したとしても、光源３２からの直接光が比較的当たりにくい位置であるので、頭部３ｈ１に光が反射することよるムラがリングカバー９に生じにくいため、より好ましい。
【０１６７】
以下、本実施の形態における反射シート３の本体シャーシ２ａへの取付方法について具体的に説明する。
【０１６８】
反射シート３は、図２３に示すように、レンズ３３が光源ユニット支持部２０に取り付けられていない状態の本体シャーシ２ａにおける照明光の出射側の表面に取り付けられる。このとき、光源基板３１、光源３２は光源ユニット支持部２０に取り付けられていても、取り付けられていなくてもどちらでもよい。
【０１６９】
まず、複数の光源ユニット支持部２０を開口部３ａに挿通させることで、反射シート３を本体シャーシ２ａの表面に載置する。このとき、開口部３ａがなす六角形の頂点の位置と複数の光源ユニット支持部２０がなす六角形の頂点の位置が一致し、かつ切欠部２ｃと切欠部３ｆの位置が一致するように反射シート３が載置される。
【０１７０】
次に、反射シート３の外周部３ｇを本体シャーシ２ａに取り付ける。具体的には、本体シャーシ２ａの外周部２ａ２と反射シート３の外周部３ｇとの間に、不図示の両面テープを張り付けることで、外周部３ｇを外周部２ａ２に取り付ける。両面テープは、外周部３ｇの全周に張り付けてもよいし、部分的に張り付けてもよい。また、両面テープに限らず、接着剤で外周部３ｇを取り付けてもよいし、リベットや螺子等の取付部材で取り付けてもよい。
【０１７１】
ただし、反射シート３の外周部３ｇにおいては、リングカバー９と反射シート３との距離が開口部３ａの周縁部３ａ１近傍の内周部３ｂに比べて近いため、反射シート３の表面に突出するリベットや螺子等の取付部材で取り付けた場合、当該取付部材によってリングカバー９に影や輝線が生じやすく、発光面にムラが生じる恐れがある。このため、反射シート３の表面に部材が露出することがない両面テープや接着剤で取り付けることが好ましい。
【０１７２】
最後に、周縁部３ａ１近傍の領域である内周部３ｂを本体シャーシ２ａに取り付ける。まず、反射シート３の、隣接する各切込部３ｃで挟まれた領域、すなわち、段差部２ａ３よりも開口部３ａ側の領域を、本体シャーシ２ａ側に撓ませて、内周部３ｂの一部を本体シャーシ２ａの内周部２ａ１に当接させる。この状態で、リベット３ｈを反射シート３の挿入孔３ｅおよび本体シャーシ２ａの挿入孔２ｅに挿通することで、リベット３ｈにより内周部３ｂが本体シャーシ２ａに取り付けられる。以上の作業により、本体シャーシ２ａに対する反射シート３の取り付けを完了する。
【０１７３】
なお、内周部３ｂを取り付ける取付部材としては、プッシュリベットからなるリベット３ｈに限らず、ブラインドリベット等を用いてもよいし、リベット以外の螺子や両面テープ、接着剤などを用いてもよい。また、内周部３ｂと外周部３ｇを本体シャーシ２ａに取り付ける順序は上記順序と逆であってもよい。
【０１７４】
図２４（ｂ）に示すように、反射シート３の取り付けが完了した状態において、反射シート３は、本体シャーシ２ａの外周部２ａ２側から折り曲げ部２０ａ側にかけて、光源３２側の端部が緩やかに本体シャーシ２ａ側に傾く方向に内周部２ａ１に対して傾斜した傾斜面を形成することができる。
【０１７５】
つまり、反射シート３は、光源３２が取り付けられる光源ユニット支持部２０の外周部２ａ２側の光源取付面２０ｂに略直交する光源３２の光軸方向（光源３２の出射方向の中心軸方向）に対して平行でなく、上記光軸と交差する方向に傾斜している。換言すると、反射シート３の外周部３ｇがリングカバー９により近づく方向に、内周部２ａ１に対して傾斜するように取り付けられる。これにより、反射シート３は、外周部３ｇが光源３２からの光を受けるように傾けて配置される。
【０１７６】
また、図２４（ｂ）に示すように、反射シート３が本体シャーシ２ａに取り付けられた状態において、反射シート３は、本体シャーシ２ａの段差部２ａ３に対して折り曲げ部２０ａ側の領域の一部が本体シャーシ２ａと当接しておらず、本体シャーシ２ａとの間に空間が設けられるように取り付けられている。
【０１７７】
従来の照明装置のように、湾曲したシャーシの表面に平面状の反射シートを取り付ける場合、無理に湾曲面に反射シート３を押さえつけて取り付けようとすると、反射シート３の全面に渡って湾曲面に密着させることができず、反射シートの表面に皺による凹凸が生じてしまう。これに対し、本発明のように、反射シート３に複数の切込部３ｃを設けることで、隣接する切込部３ｃの間に位置する内周部３ｂを本体シャーシ２ａ側に撓ませたときに、切込部３ｃの周方向の隙間が開口部３ａ側に向かうに従って広がる。これにより、反射シート３に皺を生じさせることなく、本体シャーシ２ａの表面に対して傾斜した反射面を形成することが可能となる。
【０１７８】
なお、切込部３ｃの周方向の隙間は、当該隙間が広がる開口部３ａ側（光源側）においては、上記隙間とリングカバー９との距離が外周部３ｇ側と比較して相対的に離れている。このため、上記隙間あるいは上記隙間の近傍で反射された光は十分拡散してリングカバー９に入射するので、リングカバー９において上記隙間による輝度ムラが顕著に生じることはない。つまり、光源３２側の端部から切込部３ｃを切り込むことで、反射シートに皺を生じさせず、かつ切込部３ｃ自体による発光面の輝度ムラも生じさせずに、反射シート３を傾斜して取り付けることが可能となる。
【０１７９】
図２４（ｂ）に示すように、反射シート３の外周部３ｇが取り付けられる本体シャーシ２ａの外周部２ａ２は、内周部２ａ１に対して段差部２ａ３側の端部が若干リングカバー９と反対側に傾いた傾斜面をなしている。これにより、反射シート３が形成する反射面を本体シャーシ２ａの外側に向かうほどリングカバー９側へより近づけることができる。また、外周部２ａ２がなす傾斜面に沿って、隣接する切込部３ｃで挟まれた領域を内周部２ａ１に対して傾斜させることができる。
【０１８０】
ただし、外周部２ａ２の径方向の幅は、外周部２ａ２に直接両面テープ等で反射シート３の外周部３ｇを取り付けたときに外周部３ｇの表面に皺が生じにくい程度に狭くしてあり、傾斜面の傾きは上記皺が生じにくい程度の緩やかな角度である。
【０１８１】
また、本実施形態では、外周部２ａ２および内周部２ａ１はいずれも略平面状をなしているが、外周部２ａ２が内周部２ａ１よりもリングカバー９側に位置した形状、すなわち外周部２ａ２がより照射光の出射側に位置した形状であれば、外周部２ａ２および内周部２ａ１は曲面状であってもよい。また、段差部２ａ３も必須の構成ではなく、本体シャーシ２ａの外周部２ａ２から内周部２ａ１にかけて径方向に滑らかな面で連続的に形成されてあってもよい。
【０１８２】
外周部２ａ２が図２４（ｂ）に示すような傾斜面でなく、内周部２ａ１または光源３２の光軸に対して略平行な面である場合、段差部２ａ３を始点として、反射シート３を本体シャーシ２ａ側に撓ませて傾斜させるので、切込部３ｃは、端部３ｃ２が本体シャーシ２ａの段差部２ａ３よりも本体シャーシ２ａの径方向外側に位置するように切り込まれる、あるいは少なくとも段差部２ａ３の位置まで切り込まれることが好ましい。これにより、段差部２ａ３近傍における反射シート３の皺をより確実に防止することができる。
【０１８３】
なお、本発明における切込部３ｃの切り込み深さは特に限定されない。ただし、上記のように端部３ｃ２が段差部２ａ３よりも径方向外側まで切り込まれると、リングカバー９との距離が近い外周部３ｇの領域に切込部３ｃによる隙間が生じ、この隙間による発光面のムラが生じる恐れがある。このため、切込部３ｃの切り込み深さは、上記ムラを生じさせず、かつ反射シート３の表面に皺も形成されない深さにすることが好ましい。本実施形態では、段差部２ａ３までの位置が上記ムラを生じさせず、かつ反射シート３の表面に皺も形成されない最適な切込部３ｃの切り込み深さである。
【０１８４】
本実施形態１に係る照明装置１のように、光源からの光を反射面で反射させて、反射光によりカバーを発光面として機能させる照明装置においては、仮に反射シート３が取り付けられる本体シャーシ２ａの表面が全面にわたって光源３２の光軸と略平行な平面形状であると、平面状の反射シート３を取り付けやすいという利点がある。しかし、特に光源３２がＬＥＤ等の指向性の強い光源である場合、反射面が光軸方向と略平行な平面形状であると、光源３２からの光が反射シート３の外周部、すなわち、反射シート３における光源３２の光出射方向側の端部にまで届きにくく、発光面を形成するカバーの外周側が暗くなるという問題がある。
【０１８５】
これに対し、本発明では、反射シート３を、表面に皺等生じさせることなく、光源３２の光出射方向側の端部が光源３２からの出射光を受けるように傾斜して取り付けられている。これにより、反射シート３の外周部３ｇをリングカバー９側に近づけることが可能となる。また、光源３２からの光が反射シート３の外周部３ｇまで届きやすくなり、反射シート３の内周部３ｂと比較して光が届きにくく暗くなりがちな外周部３ｇに容易に集光させることが可能となる。したがって、反射塗装に比べて反射率が高く、光利用効率が高い反射シート３を利用しながら、反射シート３で反射した光をリングカバー９の外周部にまで十分に届かせることができるので、明るく、かつムラの少ない発光面を形成することが可能となる。
【０１８６】
なお、本実施形態１では、中央部に開口部３ａが設けられ、一体的に形成された環状の反射シート３を用いる例について説明したが、本体シャーシ２ａに取り付ける反射シート３は一体に形成されていなくてもよく、別体として複数に分割された反射シートを用いてもよい。
【０１８７】
〔実施形態２〕
次に、本発明の実施形態２について説明する。なお、説明の便宜上、実施形態１に示した部材と同じ構成の部材については実施形態１と同じ符号を付し、その説明を省略する。
【０１８８】
図２６は、本実施形態２に係る照明装置２００における本体シャーシ２ａに取り付けられた反射シート３の平面図である。図２７は、図２６に示した照明装置２００のＴ−Ｔ断面の断面図である。
【０１８９】
本実施形態２と実施形態１との相違点は、実施形態１に係る照明装置１では光源ユニット３０が本体シャーシ２ａの中央部に周状をなすべく複数取り付けられ、上記中央部から外周部２ａ２側に向けて光源３２からの光を出射するように設けてあるのに対し、実施形態２に係る照明装置２００では、光源ユニット（図示せず）が、本体シャーシ２ａの外周部２ａ２に周状（多角形状）をなすべく複数取り付けられ、外周部２ａ２から上記中央部側に向けて光源からの光を出射するように設けている点である。
【０１９０】
本体シャーシ２ａは、図２６の平面視において略円形の外形を有する板状の部材であり、図２７の断面視において中央部２ａ４が外周部２ａ２に対してカバー側（照明光が出射される側）に隆起あるいは突出するように形成された段差部２ａ５を有する。
【０１９１】
本体シャーシ２ａの表面には、不図示の光源ユニットを支持する光源ユニット支持部２０が、外周部２ａ２の周方向に沿って多角形状（周状）をなすように複数設けられている。光源ユニット支持部２０は、図２７に示すように、本体シャーシ２ａのカバーが載置される側（照明光が出射される側）の面から略垂直に立設される矩形の板状部材である。本実施形態２においては、光源ユニット支持部２０は、６個設けられ、図２６に示すように六角形状をなすように配置されている。
【０１９２】
本体シャーシ２ａの表面における光源ユニット支持部２０の内側の領域には、反射面を形成する反射シート３が取り付けられてある。反射シート３は、複数の光源ユニット支持部２０がなす六角形状に応じた六角形状の外形をなす。
【０１９３】
不図示の光源は、光源ユニット支持部２０の中央部２ａ４側の光源取付面２０ｃに取り付けられ、外周部２ａ２側から中央部２ａ４側に向けて、反射面の略面方向に光を出射する。光源として、実施形態１と同様にＬＥＤが用いることができる。また、不図示のカバーは、反射シート３がなす反射面に対して照明光の出射側に対向するように配置される。
【０１９４】
反射シート３には、当該反射シート３の外形がなす六角形の頂点の位置から径方向に、すなわち反射シート３における光源３２側の端部から中央部２ａ４側に当該反射シート３を切り込んだ切込部３ｃが複数設けられている。切込部３ｃの中央部２ａ４側の端部３ｃ１は、段差部２ａ５の位置まで切り込まれている。
【０１９５】
切込部３ｃの光源側の端部３ｃ１の近傍には、反射シート３の外周部３ｇを本体シャーシ２ａに取り付ける取付部材としてのリベット３ｈが取り付けられている。また、反射シート３の中央部３ｉは、両面テープにより中央部２ａ４に取り付けられている。
【０１９６】
本実施形態２に係る照明装置２００では、複数の切込部３ｃの間の領域を撓ませることにより、外周部３ｇ側の端部が本体シャーシ２ａ側に傾くように反射シート３を外周部２ａ２（光源３２の光軸）に対して傾斜させて取り付けることができる。これにより、反射シート３の表面に皺を生じさせることなく傾斜面をなす反射面を設けることができる。
【０１９７】
これにより、図２７に示すように、反射シート３を、光源の光出射方向側に向かうに従って中央部３ｉ側が光源３２からの出射光を受けるよう傾けて配置して、中央部３ｉをカバー側に近づけることができ、光源からの光が届きにくい中央部３ｉまで容易に集光させることができるので、ムラの少ない均一な発光面を形成することが可能となる。
【０１９８】
〔実施形態３〕
次に、本発明の実施形態３について説明する。なお、説明の便宜上、上述した実施形態に示した部材と同じ構成の部材については同じ符号を付し、その説明を省略する。
【０１９９】
図２８（ａ）は本実施形態３に係る照明装置３００における本体シャーシ２ａに取り付けられた反射シート３の平面図であり、図２８（ｂ）は図２８（ａ）に示した照明装置３００のＵ−Ｕ断面の断面図である。
【０２００】
本実施形態３にかかる照明装置３００は実施形態１と同様の反射シート３を用いるものである。ただし、実施形態１に係る照明装置１では光源ユニット３０が本体シャーシ２ａの中央部に周状をなすべく複数設けられ、かつ本体シャーシ２ａと一体に形成された光源ユニット支持部２０に取り付けられているのに対し、本実施形態３に係る照明装置３００は、光源ユニット（図示せず）が本体シャーシ２ａの中央部に配置された光源取付部材２７に取り付けられている点が相違している。
【０２０１】
つまり、本願発明に係る光源は必ずしも実施形態１のように本体部としての本体シャーシ２ａに直接取り付けられている必要はなく、本実施形態３は本体部と別体に設けられた光源取付部材２７に取り付けられる例について説明するものである。
【０２０２】
具体的には、光源取付部材２７は、本体シャーシ２ａの中央部に形成された六角形状の開口部に配置され、当該開口部の形状に応じた形状をなす。光源取付部材２７は、六角形状の板部材である基部２７２と、基部２７２の外周部に周状に設けられた光源ユニットを支持する光源ユニット支持部２７１とを有する。光源ユニット支持部２７１は、基部２７２と一体的に形成されていてもよいし、別部材として基部２７２に取り付けられていてもよい。光源ユニット支持部２７１における本体シャーシ２ａの外周部２ａ２側を向く面である光源取付面２７１ａに光源ユニットが取り付けられる。
【０２０３】
また、光源取付部材２７は、内周部２ａ１と接合されることで本体シャーシ２ａに直接取り付けられるように構成してもよいし、本体シャーシ２ａには直接取り付けないように構成してもよい。
【０２０４】
なお、本実施形態３と実施形態１との相違点は、上記した光源が取り付けられる部材に係る構成のみであるから、本実施形態３においても実施形態１と同様の効果が得られることは言うまでもない。
【０２０５】
〔実施形態４〕
本発明の実施形態４について説明する。
【０２０６】
図２９は本実施形態にかかる照明装置１００の平面図であり、図３０は図２９に示したＶ−Ｖ断面の断面図である。なお、図２９ではリングカバー１０９の記載を省略している。
【０２０７】
これら各図に示すように、照明装置１００は、円板状のシャーシ１０２と、シャーシ１０２の床側面を覆うように取り付けられた反射シート１０３と、シャーシ１０２の中央部に配置された電源ユニット１０４と、電源ユニット１０４を覆うようにシャーシ１０２に取り付けられた電源カバー１０５と、電源ユニット１０４および電源カバー１０５の中央部に設けられた略円形の貫通部に配置されたアダプタ取付部１０６ａ，１０６ｂと、電源カバー５よりもシャーシ１０２の外縁側の領域に電源カバー５を取り囲むように略六角形状に配置された複数の光源１３２およびこれら各光源を覆うように配置されたレンズ１３３を備えている。
【０２０８】
また、アダプタ取付部６ａ，６ｂに対して床側に対向する位置には、直径９９ｍｍのセンターカバー１１０が備えられており、センターカバー１１０の外縁から照明装置１００の外縁までの領域には反射シート３およびレンズ１３３に対して間隔を隔てた位置にリングカバー１０９が備えられている。センターカバー１１０およびリングカバー１０９は光透過性を有する材質からなる。
【０２０９】
各光源１３２は、出射光の光軸が床側を向くようにシャーシ１０２上に配置されている。レンズ１３３は、各光源１３２が配置された領域を覆うように配置されている。なお、本実施形態では、複数の光源１３２を照明装置１の中心部を取り囲むように六角形状に配置し、この六角形の各辺に対応する位置に１方向に延伸する形状を有するレンズ１３３を各光源１３２に対向するように配置している。
【０２１０】
また、レンズ１３３は、図３０に示すように、各光源１３２から入射した光の一部を照明装置１００の外縁側へ出射させ、残りを照明装置１００の内側へ出射させる光学特性を有している。これにより、各光源１３２から出射された光は、レンズ１３３で屈折されて当該レンズ１３３よりも照明装置１００の外縁側、および当該レンズ１３３よりも照明装置１００の内縁側に出射され、センターカバー１１０およびリングカバー１０９の略全体が照明される。なお、電源カバー１０５は照明装置１の中央側へ向かうほど天井から遠ざかる方向に傾斜した傾斜面を有しており、光源１３２からレンズ１３３を介して上記傾斜面に入射した光は上記傾斜面で反射されてセンターカバー１１０またはリングカバー１０９に入射する。
【０２１１】
図３１は、レンズ１３３および光源１３２の断面図である。この図に示すように、レンズ１３３は、光源１３２から出射された光が入射する光入射面１３３ａ〜１３３ｅと、光源からレンズ１３３に入射した光をレンズ１３３の外部に出射する光出射面１３３ｆ、１３３ｇ〜１３３ｉと、反射面１３３ｊ，１３３ｋとを備えている。
【０２１２】
光源１３２から光入射面１３３ａに入射した光は光入射面１３３ａで屈折して主に光出射面１３３ｆへ導かれ、光出射面１３３ｆに到達した光は光出射面１３３ｆで屈折してセンターカバー１１０側へ出射される。
【０２１３】
光源１３２から光入射面１３３ｂに入射した光は光入射面１３３ｂで屈折して主に反射面１３３ｊへ導かれ、反射面１３３ｊで反射して光出射面１３３ｇに導かれる。光出射面１３３ｇに到達した光は光出射面１３３ｇで屈折してセンターカバー１１０側へ出射される。
【０２１４】
光源１３２から光入射面１３３ｃに入射した光は光入射面１３３ｃで屈折して主に反射面１３３ｋへ導かれ、反射面１３３ｋで反射して光出射面１３３ｈに導かれる。反射面１３３ｋで反射して光出射面１３３ｈに到達した光は光出射面１３３ｈで屈折して照明装置１００の外縁側へ出射される。
【０２１５】
光源１３２から光入射面１３３ｄおよび光入射面１３３ｅに入射した光は光入射面１３３ｄおよび光入射面１３３ｅで屈折して主に光出射面１３３ｉへ導かれ、光出射面１３３ｉに到達した光は光出射面１３３ｉで屈折して照明装置１００の外縁側へ出射される。
【０２１６】
これにより、光源１３２から出射された光はレンズ１３３によって照明装置１００の外縁側およびセンターカバー１１０側に出射され、反射シート１０３や電源カバー１０５で反射されるなどしてリングカバー１０９およびセンターカバー１１０の略全域を略均一に照明する。
【０２１７】
〔実施形態５〕
次に、本発明の実施形態５について説明する。なお、説明の便宜上、上述した実施形態に示した部材と同じ構成の部材については同じ符号を付し、その説明を省略する。
【０２１８】
実施形態１に示した照明装置１では、レンズ３３と、反射部（反射部材）８ａおよび透過部（透過部材）８ｂを備えた防塵カバー８とを備え、光源３２から出射されてレンズ３３に入射し、レンズ３３から出射された光の一部を反射部８ａで反射させることにより、透過部８ｂを介して光源３２の光出射方向と反対側、すなわち光源３２よりも照明装置１の中央部側（副照明領域側）の領域に導光していた。これに対して、本実施形態にかかる照明装置４００では、照明装置１におけるレンズ３３に代えて後述するレンズ４３３を備え、防塵カバー８に替えて後述する防塵カバー４０８を備えており、光源３２から出射されてレンズ４３３に入射した光の一部をレンズ４３３内で反射させることによりレンズ４３３から光源３２の光出射方向と反対側に向けて出射するようになっている。
【０２１９】
図３２は本実施形態にかかる照明装置４００の平面図であり、図３３は図３２に示したＷ−Ｗ断面の断面図であり、図３４は図３３に示したＸ部の拡大図である。なお、図３２ではリングカバー９の記載を省略している。また、図３３および図３４には、光源３２から出射される光の照明装置４００内における進行方向を模式的に示している。
【０２２０】
レンズ４３３は、光源基板（光源支持部）３１に備えられる光源３２から出射された光を屈折あるいは反射させて所定の方向に出射させるためのものである。つまり、レンズ４３３は、光源３２から出射された光の配光を制御するためのものである。
【０２２１】
なお、本実施形態では、光源３２を構成する複数のＬＥＤが光源基板３１上で本体シャーシ（本体部）２ａの表面に沿った方向に複数並べて配置(並設)されている。また、レンズ４３３は、光源基板３１の延伸方向（光源３２を構成する各ＬＥＤの並設方向）に沿って延伸した形状を有しており、光源基板３１上に配置された各ＬＥＤに対向する位置に配置されている。
【０２２２】
レンズ４３３の材質は特に限定されるものではないが、例えば、透明なアクリル樹脂やポリカーボネート樹脂などからなるレンズを用いることができる。
【０２２３】
防塵カバー４０８は、光源３２に対して床面側、すなわち本体シャーシ２ａと反対側の位置に光源ユニット３０と対向するように配置される基体部４０８ａと、基体部４０８ａに対して照明装置４００の内側に配置され、光源３２から出射されてレンズ４３３から照明装置４００の内側に向けて出射された光を透過する透過部（透過部材）４０８ｂとを備えている。なお、透過部４０８ｂは電源カバー５とセンターカバー１０とに密着した状態で保持されるようになっており、それによって埃や虫などが光源ユニット３０の備えられている空間に侵入することを防止している。
【０２２４】
なお、防塵カバー４０８の材質は、少なくとも透過部４０８ｂがレンズ４３３から出射される光を透過する性質を有していればよい。透過部４０８ｂの材質は光透過性を有するものであれば特に限定されるものではないが、本実施形態では透明のポリカーボネート樹脂を用いている。また、防塵カバー４０８の形状についても、埃や無視などの侵入を防止する機能と、レンズ４３３から照明装置４００の内側に向けて出射された光を透過する機能とを少なくとも実現可能な形状であればよい。
【０２２５】
したがって、例えば、防塵カバー４０８として実施形態１に示した防塵カバー８と同様の構成のものを用いてもよい。あるいは、防塵カバー８における反射部８ａの材質を他の材質（例えば、光反射性を有さない材質、あるいは光反射性の低い材質）に変更したものを用いてもよい。なお、本実施形態では、図３４に示したように、透過部４０８ｂの形状を、照明装置４００の中心側へ向かうほど天井側（本体シャーシ２ａ側）に傾斜している形状とした。
【０２２６】
レンズ４３３は、図３４に示したように、光源３２から出射されてレンズ４３３に入射した光の一部を反射シート３（主照明領域側）に向けて出射させるための第２導光部４３３ｋと、光源３２から出射されてレンズ４３３に入射した光の一部を光源基板３１に対して光源３２の光出射方向とは反対側（副照明領域側）に向けて出射させるための第１導光部（導光部）４３３ｌとを備えている。
【０２２７】
また、レンズ４３３は、光源３２に対向配置される光入射面４３３ａ〜４３３ｃと、光入射面４３３ａ〜４３３ｃからレンズ３３内に入射してレンズ４３３内を伝搬した光を反射する反射面（光反射面）４３３ｇ〜４３３ｉと、光出射面（主出射面）４３３ｄ〜４３３ｆとを備えている。なお、光入射面４３３ａ，４３３ｂ、光反射面４３３ｇ、および光出射面４３３ｄ，４３３ｅは第２導光部４３３ｋの一部であり、光入射面４３３ｃ、光反射面（第１反射面）４３３ｈ，光反射面（第２反射面）４３３ｉ、および光出射面（出射面）４３３ｆは第１導光部４３３ｌの一部である。また、本実施形態では、光源３２を、光入射面４３３ｂにおけるレンズ４３３の幅方向（天井面に垂直な方向）の略中心部に対向する位置に配置している。
【０２２８】
光入射面４３３ａ〜４３３ｃは、光源３２側に凸となる曲面形状を有している。なお、光入射面４３３ａ〜４３３ｃの形状はこれに限るものではなく、光源３２から入射した光を後述する各光入射面に応じた導光方向に導光できる形状であればよい。
【０２２９】
光源３２から光入射面４３３ａに入射した光は光入射面４３３ａで屈折して主に反射面４３３ｇへ導かれる。反射面４３３ｇは、光源３２から本体シャーシ２ａの外縁側へ向かうほど本体シャーシ２ａとの距離が近くなるように緩やかに湾曲し、本体シャーシ２ａ側に凸となる曲面形状を有している。これにより、光入射面４３３ａで屈折して反射面４３３ｇに到達した光は反射面４３３ｇで反射して光出射面４３３ｄへ導かれる。光出射面４３３ｄは、レンズ４３３の内側に凹となる曲面形状を有しており、反射面４３３ｇで反射されて光出射面４３３ｄに到達した光は光出射面４３３ｄで屈折して反射シート３に向けて出射される。
【０２３０】
光源３２から光入射面４３３ｂに入射した光は光入射面４３３ｂで屈折して主に光出射面４３３ｅへ導かれる。光出射面４３３ｅはレンズ４３３の外側に凸となる曲面形状を有している。また、光出射面４３３ｄと光出射面４３３ｅとの接続部は曲率が連続的に変化した滑らかな曲面になっている。これにより、光入射面４３３ｂで屈折して光出射面４３３ｅに到達した光は光出射面４３３ｅで屈折して反射シート３に向けて出射される。
【０２３１】
なお、光出射面４３３ｄ，４３３ｅから出射されて反射シート３に到達した光は反射シート３で反射されてリングカバー９に入射し、リングカバー９を透過して照明装置４００の外部に出射される。
【０２３２】
光源３２から光入射面４３３ｃに入射した光は光入射面４３３ｃで屈折して主に反射面４３３ｈへ導かれる。光反射面４３３ｈは、レンズ４３３の外側に凸となる曲面形状を有しており、光源基板３１との対向部よりも床面側（センターカバー１０が配置されている側）に延伸して配置されている。なお、光出射面４３３ｅと光反射面４３３ｈとはレンズ４３３の内側に凹となる曲面形状を有する接続面４３３ｊによって接続されており、光出射面４３３ｅ、接続面４３３ｊ、および光反射面４３３ｈは曲率が連続的に変化した滑らかな曲面になっている。
【０２３３】
光入射面４３３ｃから光反射面４３３ｈに導かれた光は、光反射面４３３ｈで反射して光反射面４３３ｉへ導かれる。光反射面４３３ｉは、レンズ４３３の外側にわずかに凸となる曲面形状を有しており、光反射面４３３ｈとの接続部から光源基板（光源支持部）３１および光源ユニット支持部（光源支持部）２０よりも照明装置４００の中心側（副照明領域側）の領域まで延伸している。なお、光反射面４３３ｉは、照明装置４００の中心側へ向かうほど本体シャーシ２ａから遠ざかる形状を有している。また、光反射面４３３ｉにおける光反射面４３３ｈとの接続部とは反対側の端部は、光出射面４３３ｆに接続されている。
【０２３４】
光反射面４３３ｈで反射して光反射面４３３ｉへ導かれた光は、光反射面４３３ｉで反射して光出射面４３３ｆに導かれる。光出射面４３３ｆは、レンズ４３３の外側に凸となる曲面形状を有しており、光反射面４３３ｉと光出射面４３３ｆとの接続部は曲率が連続的に変化した滑らかな曲面になっている。
【０２３５】
より具体的には、第１導光部４３３ｌは、レンズ４３３における光源基板３１との対向部よりも本体シャーシ２ａから遠い側に延在するように形成されており、第１導光部４３３ｌにおける本体シャーシ２ａとは反対側の端部には、光源３２の光出射方向とは反対側に突出した突出部４３３ｍが設けられている。そして、第１導光部４３３ｌにおける光源３２の光出射方向側の面が光反射面４３３ｈとして機能し、第１導光部４３３ｌにおける本体シャーシ２ａとは反対側の面（床側の面）が光反射面４３３ｉとして機能し、第１導光部４３３ｌの突出部４３３ｍにおける光源３２の光出射方向とは反対側の面が光出射面４３３ｆとして機能する。
【０２３６】
これにより、光反射面４３３ｉで反射して光出射面４３３ｆに導かれた光は、光出射面４３３ｆから光源基板３１よりも光源３２の光出射方向と反対側（副照明領域側）、すなわち各光源基板３１によって囲まれた領域に向けて出射される。光出射面４３３ｆから出射された光は、光透過部４０８ｂを透過して光源基板３１よりも光源３２の光出射方向と反対側（副照明領域側）の領域に入射し、電源カバー５の表面およびアダプタカバー７の反射面７ａで反射されてセンターカバー１０に入射し、センターカバー１０を介して照明装置４００の外部に出射される。
【０２３７】
このように、レンズ４３３は、光源基板３１との対向部よりも床面側（センターカバー１０が配置されている側）に延伸する光反射面４３３ｈと、光反射面４３３ｈとの接続部から光源基板３１よりも光源３２の光出射方向と反対側の領域まで延伸する光反射面４３３ｉと、光反射面４３３ｉにおける光源３２の光出射方向と反対側の端部に接続された光出射面４３３ｆとを有する第１導光部４３３ｌを備えている。そして、光源３２からレンズ３３に入射した光の一部（光入射面４３３ｃから入射した光）を、光反射面４３３ｈ，４３３ｉで反射させて光出射面４３３ｆに導光し、光出射面４３３ｆから照明装置４００の中心側（副照明領域側）に出射させる。
【０２３８】
これにより、図３３および図３４に示したように、光源３２から出射されてレンズ４３３に入射した光の一部を、光源基板３１よりも光源３２の光出射方向と反対側の領域（副照明領域側）に出射させ、電源カバー５の表面およびアダプタカバー７の反射面７ａで反射させてセンターカバー１０を介して照明装置４００の外部に出射させることができる。
【０２３９】
また、光源３２からレンズ３３に入射した光の他の一部（光入射面４３３ａ，４３３ｂから入射した光）は、光出射面４３３ｄ，４３３ｅから反射シート３（主照明領域側）に向けて出射され、リングカバー９を介して照明装置４００の外部に出射される。
【０２４０】
これにより、光源３２から出射された光により、リングカバー９（主照明領域）およびセンターカバー１０（副照明領域）の略全域を略均一に照明することができる。
【０２４１】
以上のように、本発明の一態様にかかる照明装置は、本体部（本体シャーシ２ａ）と、上記本体部の外縁方向に光を出射する光源と、上記光源に対して当該光源の光出射方向側に対向配置され、上記光源から出射された光の配光を制御して出射するレンズとを備える照明装置であって、上記レンズは、上記光源から出射されて当該レンズに入射した光の一部を当該光源の光出射方向側とは反対側の領域に配光する導光部を備えていることを特徴としている。
【０２４２】
上記の構成によれば、光源から出射された光を上記光源の光出射方向と反対側の領域に導光することができる。
【０２４３】
また、上記導光部は、上記光源から入射した光を全反射する反射面と、上記反射面によって全反射された光を上記光源に対して当該光源の光出射方向と反対側の領域に向けて出射する出射面（光出射面４３３ｆ）とを有している構成としてもよい。
【０２４４】
上記の構成によれば、光源から出射されてレンズに入射した光を反射面で全反射させ、出射面から上記光源の光出射方向と反対側に向けて出射することができる。これにより、光源から出射された光を上記光源の光出射方向と反対側の領域に導光することができる。
【０２４５】
また、上記本体部の表面に対して立設するように設けられた、上記光源を支持する光源支持部（光源基板３１および光源ユニット支持部２０）を備え、上記出射面は、上記光源支持部よりも上記本体部から遠い位置に備えられている構成としてもよい。
【０２４６】
上記の構成によれば、光源から出射された光を、光源支持部を避けて光源の光出射方向と反対側の領域に出射することができる。
【０２４７】
また、上記導光部は、上記光源支持部よりも上記本体部から遠い位置に、上記光源支持部よりも上記光源の光出射方向と反対側に突出した突出部を備え、上記出射面は、上記突出部に設けられている構成としてもよい。
【０２４８】
上記の構成によれば、光源から出射された光を、光源支持部を確実に避けて光源の光出射方向と反対側の領域に出射することができる。
【０２４９】
また、上記導光部は、上記反射面として、上記レンズにおける上記光源との対向面とは反対側の面に配置された第１反射面（反射面４３３ｈ）と、上記突出部に配置された第２反射面（反射面４３３ｉ）とを備えており、上記第１反射面は上記光源から入射した光を上記第２反射面に向けて全反射し、上記第２反射面は上記第１反射面で反射されて当該第２反射面に到達した光を上記出射面に向けて全反射する構成としてもよい。
【０２５０】
上記の構成によれば、光源からレンズに入射した光の一部を、レンズにおける光源との対向面とは反対側の面に配置された第１反射面、および上記突出部に配置された第２反射面を介して出射面に導光することにより、光源から出射された光を光出射方向と反対側に適切に導光することができる。
【０２５１】
また、上記光源は、上記本体部の表面に沿って複数並設されており、上記レンズは、複数の上記光源の並設方向に延伸した形状を有しており、上記導光部は、上記レンズの延伸方向に沿って延伸した形状を有していてもよい。
【０２５２】
上記の構成によれば、各光源から出射された光を当該各光源の光出射方向と反対側の領域に導光することができるので、当該領域をより明るく照明することができる。
【０２５３】
また、上記導光部によって上記光源よりも上記光源の光出射方向とは反対側の領域に配光される光は、上記光源から出射された光のうち、上記本体部の面方向よりも上記本体部から離れる方向に出射された光であってもよい。
【０２５４】
上記の構成によれば、上記光源から出射された光のうち、上記本体部の面方向よりも上記本体部から離れる方向に出射された光を、光源よりも光源の光出射方向と反対側の領域に導光して当該領域を照明することができる。
【０２５５】
また、上記レンズは、上記光源から出射されて当該レンズに入射した光の一部を上記光源よりも当該光源の光出射方向側の領域に配光する第２導光部を備えている構成としてもよい。
【０２５６】
上記の構成によれば、導光部によって導光される光を用いて光源よりも光源の光出射方向と反対側の領域を照明し、第２導光部によって導光される光を用いて光源よりも光源の光出射方向側の領域を照明することができる。したがって、光源から出射される光を用いてより広い領域を照明することができる。
【０２５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２５８】
本発明は、光源と光源から出射される光を屈折させるレンズとを備えた照明装置に適用できる。
【符号の説明】
【０２５９】
１          照明装置
２          シャーシ
２ａ        本体シャーシ（本体部）
２ｂ        底面シャーシ
３          反射シート（反射面）
４          電源ユニット
５          電源カバー
６          アダプタ
６ａ，６ｂ  アダプタ取付部
７          アダプタカバー（第２反射部材）
８，４０８          防塵カバー
８ａ        反射部（第１反射部材）
８ｂ，４０８ｂ        透過部（透過部材）
９          リングカバー（カバー部材）
１０        センターカバー（カバー部材）
１０ａ      遮光部（遮光部材）
１０ｂ      円板部（カバー部材）
２０        光源ユニット支持部（光源支持部）
２１        立設部
３０        光源ユニット
３１，３１Ａ〜３１Ｆ  光源基板（光源支持部）
３２        光源
３３        レンズ
３３ａ〜３３ｃ  光入射面
３３ｄ      反射面（第２反射面）
３３ｅ      反射面（第１反射面）
３３ｆ〜３３ｈ  光出射面（主出射面）
３３ｉ      凹部（凹凸部）
３３ｊ      凸部（凹凸部）
３３ｋ      光入射部
５１        付根部
５２        延伸部
５３        爪部
５４        係止部（導光部、係止部材）
５５        付根部
５６        延伸部
５７        爪部
５７ａ      傾斜面
５７ｂ      係止面
５８        係止部
５９        突部
Ｎ１  常夜灯用の光源（副光源）
Ｗ１〜Ｗ６  主照明用の光源（昼白色の光源）
Ｃ１〜Ｃ５  主照明用の光源（電球色の光源）
Ｒ１〜Ｒ４  主照明用の光源（赤色の光源）
４３３      レンズ
４３３ａ〜４３３ｃ  光入射面
４３３ｄ〜４３３ｆ  光出射面（出射面）
４３３ｇ〜４３３ｉ  反射面
４３３ｈ  反射面（第１反射面）
４３３ｉ  反射面（第２反射面）
４３３ｋ  第２導光部
４３３ｌ  第１導光部（導光部）
４３３ｍ  突出部
【図１】
2014103047.tif 000003
【図２】
2014103047.tif 000004
【図３】
2014103047.tif 000005
【図４】
2014103047.tif 000006
【図５】
2014103047.tif 000007
【図６】
2014103047.tif 000008
【図７】
2014103047.tif 000009
【図８】
2014103047.tif 000010
【図９】
2014103047.tif 000011
【図１０】
2014103047.tif 000012
【図１１】
2014103047.tif 000013
【図１２】
2014103047.tif 000014
【図１３】
2014103047.tif 000015
【図１４】
2014103047.tif 000016
【図１５】
2014103047.tif 000017
【図１６】
2014103047.tif 000018
【図１７】
2014103047.tif 000019
【図１８】
2014103047.tif 000020
【図１９】
2014103047.tif 000021
【図２０】
2014103047.tif 000022
【図２１】
2014103047.tif 000023
【図２２】
2014103047.tif 000024
【図２３】
2014103047.tif 000025
【図２４】
2014103047.tif 000026
【図２５】
2014103047.tif 000027
【図２６】
2014103047.tif 000028
【図２７】
2014103047.tif 000029
【図２８】
2014103047.tif 000030
【図２９】
2014103047.tif 000031
【図３０】
2014103047.tif 000032
【図３１】
2014103047.tif 000033
【図３２】
2014103047.tif 000034
【図３３】
2014103047.tif 000035
【図３４】
2014103047.tif 000036